(57)【要約】多重セル環境でセル間干渉を回避する方法が提供される。この方法は、干渉セルのエッジに位置している移動端末の受信性能を向上させるように、干渉セルでのＰＭＩの使用を制限する。移動端末は、干渉セルでの使用が禁止される干渉セルのＰＭＩを測定し、測定された制限ＰＭＩを干渉セルに転送する。干渉セル内の移動端末での制限ＰＭＩの使用が制限される。エッジ端末が測定した干渉セルに関するＰＭＩ情報を用いて、干渉セルに対するＰＭＩ制限のためのテーブルを生成して使用する方法などが提供される。【選択図】図７
2011518478.tif 000002
【特許請求の範囲】
【請求項１】
コードブックを使用する無線通信システムにおいてセル間干渉を回避する方法であって、
基地局が、前記コードブックの一部の使用を制限するための情報を隣接セルから受信し、
前記基地局が、セル内で一つ以上の端末が使用しない“制限−ＰＭＩ”として前記コードブックのプリコーディング行列インデックス（ＰＭＩ）を決定すること、
を含む、セル間干渉回避方法。
【請求項２】
前記制限−ＰＭＩに関する情報は、ビットマップ形式のテーブル形態で表現される、請求項１に記載のセル間干渉回避方法。
【請求項３】
前記基地局が、前記セル内の端末が前記決定された制限−ＰＭＩの使用が制限されるか否かを決定するのに用いられる臨界値を決定し、
前記基地局が、前記決定された制限−ＰＭＩに関する情報及び前記設定された臨界値を前記セル内の端末に転送すること、
をさらに含む、請求項１に記載のセル間干渉回避方法。
【請求項４】
前記隣接セルから受信する情報は、一つのあらかじめ決定された時区間または複数の前記あらかじめ決定された時区間に使用される、請求項１に記載のセル間干渉回避方法。
【請求項５】
前記決定された制限−ＰＭＩに関する情報は、ビットマップ形式のテーブル形態で表現され、前記ビットマップ及び前記臨界値は上位階層に転送されてダウンリンクシグナルとして使用される、請求項３に記載のセル間干渉回避方法。
【請求項６】
前記隣接セルから受信する情報は、前記隣接セルと前記セルとを連結するバックボーンネットワークを通じて受信したり、または、前記隣接セルに属する端末に設定されたフィードバックチャネルを通じて受信する、請求項１に記載のセル間干渉回避方法。
【請求項７】
前記隣接セルから受信する情報は、前記コードブックに属するプリコーディング行列のインデックスを少なくとも一つ含み、
前記制限−ＰＭＩは、前記インデックスと同一であるか、または、前記インデックスの統計によって決定される、請求項１に記載のセル間干渉回避方法。
【請求項８】
前記隣接セルから受信する情報は、ＣＳＩ（ｃｈａｎｎｅｌ  ｓｔａｔｅ  ｉｎｆｏｒｍａｔｉｏｎ）であり、
前記制限−ＰＭＩを決定するステップは、前記コードブックに属するプリコーディング行列のうち、前記受信したＣＳＩに対応するプリコーディング行列を決定することを含み、
前記制限−ＰＭＩは、前記決定されたプリコーディング行列のインデックスと同一であるか、または、前記決定されたプリコーディング行列の統計によって決定される、請求項１に記載のセル間干渉回避方法。
【請求項９】
前記コードブックの元素は、ベースコードブックの元素と連接コードブックの元素との積により形成され、
前記制限−ＰＭＩは、前記ベースコードブックに属するプリコーディング行列インデックスのうちの一つである、請求項１に記載のセル間干渉回避方法。
【請求項１０】
前記隣接セルから受信する情報は、前記ベースコードブックに属するプリコーディング行列の少なくとも一つのインデックスを含み、
前記制限−ＰＭＩは、前記インデックスと同一であるか、または、前記インデックスの統計によって決定される、請求項９に記載のセル間干渉回避方法。
【請求項１１】
前記隣接セルから受信する情報はＣＳＩであり、
前記制限−ＰＭＩを決定するステップは、前記ベースコードブックに属するプリコーディング行列のうち、前記受信したＣＳＩに対応するプリコーディング行列を決定することを含み、
前記制限−ＰＭＩは、前記決定されたプリコーディング行列のインデックスと同一であるか、または、前記決定されたプリコーディング行列の統計を用いて決定される、請求項９に記載のセル間干渉回避方法。
【請求項１２】
前記コードブックの一部の使用を制限することは、前記制限−ＰＭＩの使用が制限される端末に割り当てられた周波数領域または前記セルの全体周波数領域に対して行われる、請求項３に記載のセル間干渉回避方法。
【請求項１３】
コードブックを使用する無線通信システムにおいてセル間干渉を回避する方法であって、
基地局が、前記コードブックの一部の使用を要請するための情報を隣接セルから受信し、
前記基地局が、セル内で一つ以上の端末が使用することを許容する“要請−ＰＭＩ”として前記コードブックのプリコーディング行列インデックス（ＰＭＩ）を決定すること、
を含む、セル間干渉回避方法。
【請求項１４】
前記基地局が、前記セル内の端末が前記決定された要請−ＰＭＩを使用するか否かを決定するのに用いられる臨界値を決定し、
前記決定された要請−ＰＭＩに関する情報及び前記決定された臨界値を前記セル内の端末に転送すること、
をさらに含む、請求項１３に記載のセル間干渉回避方法。
【請求項１５】
コードブックを使用する無線通信システムにおいてセル間干渉を回避する方法であって、
基地局が、隣接セルからの干渉が強い制限−ＰＭＩまたは前記隣接セルからの干渉が弱い要請−ＰＭＩを、前記基地局によって制御されるセルに属する端末が送信するか否かを決定するのに用いられる臨界値を決定し、
前記決定された臨界値に関する情報を前記端末に送信すること、
を含む、セル間干渉回避方法。
【請求項１６】
前記制限−ＰＭＩまたは前記要請−ＰＭＩは、前記コードブックに属するプリコーディング行列インデックスのうちの一つである、請求項１５に記載のセル間干渉回避方法。
【請求項１７】
前記コードブックの元素は、ベースコードブックの元素と連接コードブックの元素との積により形成され、
前記制限−ＰＭＩまたは前記要請−ＰＭＩは、前記ベースコードブックに属するプリコーディング行列である、請求項１５に記載のセル間干渉回避方法。
【請求項１８】
前記端末から前記隣接セルに関するＣＳＩを受信すると、前記受信したＣＳＩに基づいて前記制限−ＰＭＩまたは前記要請−ＰＭＩを生成して前記隣接セルの基地局に転送するステップをさらに含む、または、
前記端末から前記制限−ＰＭＩまたは前記要請−ＰＭＩを受信して前記隣接セルの基地局に転送することをさらに含む、請求項１６に記載のセル間干渉回避方法。
【請求項１９】
前記制限−ＰＭＩまたは前記要請−ＰＭＩを送信することを許容するようとの要請及び前記端末に関するチャネル情報を前記端末から受信し、
前記受信したチャネル情報の測定値と前記臨界値とを比較した結果が、あらかじめ決定された関係を満たす場合、前記要請の応答として許諾メッセージを前記端末に送信すること、
をさらに含む、請求項１６に記載のセル間干渉回避方法。
【請求項２０】
前記臨界値は、ＣＱＩ、ＳＩＮＲ、ＣＳＩ、干渉電力、干渉ベクトル、及びジオメトリ情報に関する値のうち一つ以上を含み、前記基地局によって制御されるセル内の端末からフィードバックされる情報に基づいて決定される、請求項１６に記載のセル間干渉回避方法。
【請求項２１】
コードブックを使用する無線通信システムにおいてセル間干渉を回避する方法であって、
隣接セルでの使用制限を要請する制限−ＰＭＩ、前記隣接セルでの使用を要請する要請−ＰＭＩ、及び前記隣接セルに関するＣＳＩを測定し、
前記測定された制限−ＰＭＩ、前記測定された要請−ＰＭＩ、または前記測定された前記隣接セルに関するＣＳＩを、前記端末を制御する基地局または前記隣接セルの基地局に転送すること、
を含む、セル間干渉回避方法。
【請求項２２】
前記制限−ＰＭＩまたは前記要請−ＰＭＩは、前記コードブックに属するプリコーディング行列インデックスのうちの一つである、請求項２１に記載のセル間干渉回避方法。
【請求項２３】
前記コードブックの元素は、ベースコードブックの元素と連接コードブックの元素との積により形成され、
前記制限−ＰＭＩまたは前記要請−ＰＭＩは、前記ベースコードブックに属するプリコーディング行列インデックスのうちの一つである、請求項２１に記載のセル間干渉回避方法。
【請求項２４】
前記転送するステップは、前記セルの基地局または前記隣接セルの基地局にアナログフィードバックを用いて前記測定されたＣＳＩを転送することを含む、請求項２１に記載のセル間干渉回避方法。
【請求項２５】
前記測定するステップは、毎フレームごとに行われたり、または、あらかじめ決定されたフレーム周期ごとに行われる、請求項２２に記載のセル間干渉回避方法。
【請求項２６】
前記制限−ＰＭＩまたは前記要請−ＰＭＩは、前記隣接セルに関するチャネル情報及びハンドオーバーに関する情報を用いて測定される、請求項２６または２７に記載のセル間干渉回避方法。
【請求項２７】
前記制限−ＰＭＩまたは前記要請−ＰＭＩは、ランク及び転送ストリーム数のうちの一つ以上と関連して測定される、請求項２２に記載のセル間干渉回避方法。
【請求項２８】
前記測定された制限−ＰＭＩ、前記測定された要請−ＰＭＩ、または前記測定された前記隣接セルに関するＣＳＩは、前記隣接セルの各端末に割り当てられた周波数領域または前記隣接セルの全体周波数領域に対して特定コードブック元素の使用を制限するのに使用するためのものである、請求項２２に記載のセル間干渉回避方法。
【請求項２９】
コードブックを使用する無線通信システムにおいてセル間干渉を回避する方法であって、
端末が、基地局を含むセル内で使用を制限するための制限−ＰＭＩに関する情報、及び前記制限−ＰＭＩを使用するか否かを決定するのに用いる臨界値に関する情報を含むブロードキャスト信号を前記基地局から受信し、
前記端末が、チャネル情報の測定値と前記臨界値とを比較した結果が、あらかじめ決定された関係を満たす場合、前記制限−ＰＭＩに基づいて最適のＰＭＩを決定すること、
を含む、セル間干渉回避方法。
【請求項３０】
前記制限−ＰＭＩは、前記コードブックに属するプリコーディング行列インデックスのうちの一つであり、
前記最適のＰＭＩは、前記受信した制限−ＰＭＩを除く前記コードブックに基づいて決定される、請求項２９に記載のセル間干渉回避方法。
【請求項３１】
前記コードブックの元素は、ベースコードブックの元素と連接コードブックの元素との積により形成され、
前記制限−ＰＭＩは、前記ベースコードブックに属するプリコーディング行列インデックスのうちの一つであり、
前記最適のＰＭＩは、前記受信した制限−ＰＭＩを除く前記ベースコードブックに基づいて決定される、請求項２９に記載のセル間干渉回避方法。
【請求項３２】
コードブックを使用する無線通信システムにおいてセル間干渉を回避する方法であって、
端末が、基地局を含むセル内で使用を要請するための要請−ＰＭＩに関する情報、及び前記要請−ＰＭＩを使用するか否かを決定するのに用いる臨界値に関する情報を含むブロードキャスト信号を前記基地局から受信し、
チャネル情報の測定値と前記臨界値とを比較した結果が、あらかじめ決定された関係を満たす場合、前記要請−ＰＭＩに基づいて最適のＰＭＩを決定すること、
を含む、セル間干渉回避方法。
【請求項３３】
前記要請−ＰＭＩは、前記コードブックに属するプリコーディング行列インデックスのうちの一つであり、
前記最適のＰＭＩは、前記受信した要請−ＰＭＩ及び連接コードブックに基づいて決定される、請求項３２に記載のセル間干渉回避方法。
【請求項３４】
前記コードブックの元素は、ベースコードブックの元素と連接コードブックの元素との積により形成され、
前記要請−ＰＭＩは、前記ベースコードブックに属するプリコーディング行列インデックスのうちの一つであり、
前記最適のＰＭＩは、前記受信した要請−ＰＭＩ及び連接コードブックに基づいて決定される、請求項３２に記載のセル間干渉回避方法。
【請求項３５】
コードブックを使用する無線通信システムにおいてセル間干渉を回避する方法であって、
端末が、基地局を含むセル内で使用を制限するための制限−ＰＭＩに関する情報、及び前記制限−ＰＭＩを使用するか否かに関する指示子を含むブロードキャスト信号を前記基地局から受信し、
前記端末が、前記制限−ＰＭＩの使用が制限されると指示された場合、前記制限−ＰＭＩに基づいて最適のＰＭＩを決定すること、
を含む、セル間干渉回避方法。
【請求項３６】
前記制限−ＰＭＩは、前記コードブックに属するプリコーディング行列インデックスのうちの一つであり、
前記最適のＰＭＩは、前記受信した制限−ＰＭＩを除く前記コードブックに基づいて決定される、請求項３５に記載のセル間干渉回避方法。
【請求項３７】
前記コードブックの元素は、ベースコードブックの元素と連接コードブックの元素との積により形成され、
前記制限−ＰＭＩは、前記ベースコードブックに属するプリコーディング行列インデックスのうちの一つであり、
前記最適のＰＭＩは、前記受信された制限−ＰＭＩを除く前記ベースコードブックに基づいて決定される、請求項３５に記載のセル間干渉回避方法。
【請求項３８】
コードブックを使用する無線通信システムにおいてセル間干渉を回避する方法であって、
端末が、基地局を含むセル内で使用を要請するための要請−ＰＭＩに関する情報、及び前記要請−ＰＭＩを使用するか否かに関する指示子を含むブロードキャスト信号を前記基地局から受信し、
前記端末が、前記要請−ＰＭＩを使用すると指示された場合、前記要請−ＰＭＩに基づいて最適のＰＭＩを決定すること、
を含む、セル間干渉回避方法。
【請求項３９】
前記要請−ＰＭＩは、前記コードブックに属するプリコーディング行列インデックスのうちの一つであり、
前記最適のＰＭＩは、前記受信した要請−ＰＭＩ及び連接コードブックに基づいて決定される、請求項３８に記載のセル間干渉回避方法。
【請求項４０】
前記コードブックの元素は、ベースコードブックの元素と連接コードブックの元素との積により形成され、
前記要請−ＰＭＩは、前記ベースコードブックに属するプリコーディング行列インデックスのうちの一つであり、
前記最適のＰＭＩは、前記受信した要請−ＰＭＩ及び連接コードブックに基づいて決定される、請求項３８に記載のセル間干渉回避方法。
【発明の詳細な説明】
【技術分野】
【０００１】
本発明は、移動通信に係り、特に、多重セル環境におけるセル間干渉回避方法に関するものである。
【背景技術】
【０００２】
次世代移動通信及び無線転送システムでは、多重セル環境で、向上したデータ転送率とシステム容量が要求されている。このような要求に応じて、多数のアンテナを用いてデータを転送する多重入出力（ｍｕｌｔｉ−ｉｎｐｕｔ  ｍｕｌｔｉ−ｏｕｔｐｕｔ：ＭＩＭＯ）システムに対する研究が進行されており、多重セル環境でのデータの転送率を向上させるためにチャネル情報を用いる、閉ループ方式の多重入出力システムは、チャネル情報を用いて転送性能を向上させることができる。
【０００３】
一般に、多重入出力システムで、端末は、受信したデータから受信チャネルに関する情報を確認することができるが、基地局は、チャネル情報を確認することができない。したがって、チャネル情報を用いてシステムの性能を向上させるためには、基地局が、チャネル情報を知っていなければならない。ＴＤＤ（ｔｉｍｅ  ｄｉｖｉｓｉｏｎ  ｄｕｐｌｅｘ）方式が用いられる場合、基地局と端末間のアップ／ダウンリンク（ｕｐ／ｄｏｗｎｌｉｎｋ）チャネルが互いに同一なため、基地局でチャネル情報を知ることができる。
【０００４】
閉ループＭＩＭＯを用いるシステムは、基地局が、各端末の送信チャネルに関する情報を用いてデータを転送する。この場合、基地局は、サービスしている端末の送信チャネルに関する情報を知ることができず、端末からチャネルに関する情報、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）などがフィードバックされる。
【０００５】
端末は、基地局から受信した信号を用いて、データを受信したチャネルを推定する。推定したチャネルを用いて、端末は、基地局がデータを送信する時にチャネル状況に好適なＭＣＳ（Ｍｏｄｕｌａｔｉｏｎ  Ｃｏｄｉｎｇ  Ｓｃｈｅｍｅ）を適用するように、ＣＱＩを計算する。また、端末は、推定されたチャネルとコードブックを用いてチャネル状況に最も好適なチャネル係数、すなわち、コードブックのプリコーディングベクトル（ｐｒｅｃｏｄｉｎｇ  ｖｅｃｔｏｒ）を、既に知っているコードブックから選択する。端末が推定されたチャネルを用いて求めたチャネル情報は、基地局と端末間のフィードバックチャネルを通じて転送される。基地局は、端末から受信したチャネル情報、選択されたＭＣＳ及びコードブックのプリコーディングベクトルを用いて、データを端末に送信する。
【０００６】
現在、閉ループＭＩＭＯシステムに対する多くの研究が行われており、単一セルの他に多重セルの環境でも、閉ループＭＩＭＯ方式が適用されて用いられている。しかし、多重セル環境で、他のセルからの干渉による影響を減らすための方法として、各セルで使用するコードブックを制限することによって、セル間干渉を除去する方法に対する研究は未だ十分でない現状である。
【０００７】
多重セル環境下で閉ループＭＩＭＯを用いるシステムにおいて、それぞれの基地局は、セル中の端末に高品質のサービスを提供するために、基地局自身と各端末間のチャネル状況に基づいて、端末に最適のプリコードブック（ｐｒｅ−ｃｏｄｅｂｏｏｋ）を割り当てる。
【０００８】
しかしながら、セルのエッジに位置する端末は、自身の属しているセルの基地局からの信号が弱いため、隣接セルの基地局がこの隣接セルに属する端末に割り当てた最適のプリコードブックによって干渉を受けることになる。このようなプリコードブックによるセル間干渉によって、セルのエッジに位置している端末は性能が減少する問題点があった。
【発明の概要】
【発明が解決しようとする課題】
【０００９】
したがって、本発明は、関連技術の限界及び欠点に起因する一つ以上の問題を実質的に解消するための、多重セル環境においてセル間干渉を回避する方法に関する。
【００１０】
本発明の目的は、隣接セルで使用するプリコーディング行列によるセル間干渉によってセルのエッジに位置している端末の性能が減少する問題を解決する方法及び／または装置を提供することにある。
【課題を解決するための手段】
【００１１】
本発明に関する明細書及び特許請求の範囲に使われた一部の用語の意味を説明する。図１を参照すると、例えば、端末ＵＥ１は、セルＡ（Ｃｅｌｌ＿Ａ）のエッジに位置している端末で、セルＡによってサービスを受けているということがわかる。また、端末ＵＥ１は、セル＿Ａに隣接しているセルであるセルＢ（Ｃｅｌｌ＿Ｂ）、セルＣ（Ｃｅｌｌ＿Ｃ）、セルＤ（Ｃｅｌｌ＿Ｄ）から信号の干渉を受けている（点線を参照）。すなわち、端末ＵＥ１に対してセルＢ（Ｃｅｌｌ＿Ｂ）、セルＣ（Ｃｅｌｌ＿Ｃ）、セルＤ（Ｃｅｌｌ＿Ｄ）は、端末ＵＥ１に干渉を与える‘干渉セル’と定義することができる。一方、端末ＵＥ１にサービスを提供するセルＡは、端末ＵＥ１の‘サービングセル’と定義することができる。
【００１２】
以下、本発明の明細書では、上述の課題を解決するための目的で、多重セル環境でセル間干渉の影響を減らし、エッジ端末の受信性能を向上させるためにＰＭＩ制限（ＰＭＩ  ｒｅｓｔｒｉｃｔｉｏｎ）を適用して閉ループＭＩＭＯを用いる方法が提供される。
【００１３】
また、隣接しているセル内の端末に干渉を与える干渉セルに対するＰＭＩ制限のために、干渉セルに関する情報を転送する端末を設定する方法が提供される。具体的には、基地局が端末のフィードバック情報を用いて干渉セルに関する情報を送る、端末に対する臨界値を設定する方法、定められた臨界値を基地局が端末に転送する方法、干渉セルに関する情報を転送する端末の設定に任意の臨界値を用いる方法、全ての端末が情報を基地局に転送する時、基地局が端末の受信状態を把握して確認（ｃｏｎｆｉｒｍ）信号を送信する方法、及び定められた臨界値を満たす端末に信号を転送する方法が提供される。
【００１４】
また、セル内の端末が、干渉を与える干渉セルの情報を測定する方法が提供される。具体的には、ハンドオーバーメッセージ（ｈａｎｄｏｖｅｒ  ｍｅｓｓａｇｅ）（ＢＳ＿ＩＤ、ＣＥＬＬ＿ＩＤ、ＲＳＳＩ等）を用いて干渉セルの情報を測定する方法、チャネル推定を通じて得られたチャネル情報を用いてＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、ＣＱＩなどを用いて干渉セルの情報を測定する方法、干渉セルに対するＰＭＩ制限のために、エッジに位置している端末が、一つ以上の干渉セルに対して干渉セルに関するＰＭＩ情報を推定する方法、干渉セルに対して一つの以上の制限ＰＭＩ（ｒｅｓｔｒｉｃｔｅｄ  ＰＭＩ）を測定する方法、及び端末が、最も強い干渉を与える干渉セルを測定する方法が提供される。
【００１５】
また、ランク適応（Ｒａｎｋ  ａｄａｐｔａｔｉｏｎ）時のＰＭＩ制限を用いて、干渉セルによる影響を減らす方法が提供される。具体的には、エッジ端末が、干渉セルに対して各ランク別に制限せねばならないＰＭＩを測定し、それを用いて干渉セルのＰＭＩ使用を制限する方法、エッジ端末が、ランク１に該当する制限しなければならないＰＭＩを測定し、このプリコーディングベクトルを含む全てのプリコーディングベクトルに制限を加える方法、及びエッジ端末がランク１に該当する干渉セルのＰＭＩ情報を測定し、ランク１を用いる端末にのみ制限を加える方法が提供される。
【００１６】
また、エッジ端末が測定した干渉セルに関するＰＭＩ情報を用いて、干渉セルに対するＰＭＩ制限のためのテーブルを生成して使用する方法が提供される。具体的には、干渉セルに関するＰＭＩ情報の統計値を用いて制限をする方法、作成されたＰＭＩテーブルを上位階層に転送してダウンリンクシグナリング（ｄｏｗｎｌｉｎｋ  ｓｉｇｎａｌｉｎｇ）情報として用いる方法、作成されたＰＭＩテーブルをビットマップ（ｂｉｔｍａｐ）形式で表して使用する方法が提供される。
【００１７】
また、干渉セルに対するＰＭＩ制限をするために、端末が、フィードバックする干渉セルに関するＰＭＩ情報を収集する方法と制限する方法が提供される。具体的には、干渉セルに関する情報を端末がフィードバックする周期、基地局が端末から干渉セルに関する情報を受信する周期、基地局がＰＭＩ使用に制限を加える区間あるいは範囲を設定する方法、及び干渉セルに関する情報を端末ごとに異なる周期で基地局に転送する方法が提供される。
【００１８】
また、端末が測定した干渉セルに関する情報を用いて、干渉セルのコードブック使用を制限する方法が提供される。具体的には、干渉セルに対してＰＭＩを制限するために、臨界値を満たす端末のみが、干渉セルに関する情報をフィードバックする方法、エッジ端末がフィードバックした干渉セルに関するＰＭＩ情報を用いて、干渉セルに対してＰＭＩ制限する方法、エッジ端末が測定した干渉セルに関するＰＭＩ情報を用いて、干渉セルの内側に位置している端末が使用するＰＭＩを制限する方法、干渉セルの端末に対してＰＭＩ制限を適用するための臨界値を基地局が端末に転送する方法、セルの内部移動局（Ｍｏｂｉｌｅ  ｓｔａｔｉｏｎ）の状態（ＳＩＮＲ、ｔｈｒｏｕｇｈｐｕｔ、ＣＱＩ）によって一定状態以上の端末にのみＰＭＩ制限を加える方法、端末がフィードバックした情報を用いて、制限のための臨界値を設定する方法、基地局から受信した臨界値を満たす端末にのみ制限を加える方法、干渉セルに関するＰＭＩ情報を用いて、干渉セルの端末が使用するＰＭＩを制限する時に、端末が使用するバンド別に制限を加えたり、全体使用バンドに対して制限を加える方法、干渉セルで使用しなければならないＰＭＩが制限される時、準最適（ｓｕｂ−ｏｐｔｉｍａｌ）ＰＭＩを使用する方法が提供される。
【００１９】
また、干渉セルに関する情報を基地局にフィードバックする方法が提供される。具体的には、バックボーンネットワークを用いてサービング基地局から干渉基地局に情報を転送する方法、端末が直接フィードバックチャネルを通じて干渉基地局に情報を転送する方法、制限ＰＭＩを干渉基地局に転送するためのフィードバックチャネルを共通使用したり、または、各基地局ごとに任意のチャネルを使用する方法が提供される。
【００２０】
また、ＰＭＩ制限のために転送されるフィードバックメッセージとして、チャネル情報を用いる場合には、制限ＰＭＩ、ＢＳ＿ＩＤ、Ｃｅｌｌ＿ＩＤ、帯域インデックス（ｂａｎｄ＿ｉｎｄｅｘ）が使用され、ハンドオーバーメッセージを用いる場合には、制限ＰＭＩ、及び帯域インデックスが使用されることができる。
【００２１】
また、干渉セルのＰＭＩ制限において、エッジ端末が、干渉セルに関するＰＭＩ情報を測定してそれを端末の属している基地局に転送し、基地局は、再び干渉セルに制限されるＰＭＩに関する情報をバックボーンネットワークを通じて干渉セルに転送してＰＭＩを制限する方法、及び干渉セルのＰＭＩ制限において、エッジ端末が干渉セルに関するＰＭＩ情報を干渉セルとのフィードバックチャネルを通じて直接転送してＰＭＩを制限する方法が提供される。
【００２２】
また、制限するＰＭＩに対するテーブルを端末に転送し、端末は、受信したテーブルにより制限されるＰＭＩを除く残りＰＭＩを用いる方法が提供される。ここで、テーブルは、ビットマップ形式で表示することができる。ここで、干渉セルから転送されたＰＭＩ情報を用いて基地局が端末に制限されたＰＭＩを割り当てなくても良く、端末のフィードバックしたＰＭＩが、基地局の受信した制限すべきＰＭＩと同一である場合、他のＰＭＩを使用するように端末に信号を転送し、他のＰＭＩを基地局に転送することができる。基地局が干渉セルから受信したＰＭＩ情報を端末に転送することによって、端末は、制限されたＰＭＩ以外の他のＰＭＩを使用することができる。
【００２３】
また、本発明は、ＩＣＩ（ｉｎｔｅｒ−ｃｅｌｌ  ｉｎｔｅｒｆｅｒｅｎｃｅ）を減らすためのＦＦＲ（ｆｒａｃｔｉｏｎａｌ  ｆｒｅｑｕｅｎｃｙ  ｒｅｕｓｅ）と協力的ＭＩＭＯと一緒に使用されて、セル間干渉の影響を減らすことができる。
【００２４】
上述した問題点を解決するための、本発明の一様相によれば、コードブックを使用する無線通信システムのネットワークでのセル間干渉を回避する方法は、干渉セル内で前記コードブックの一部の使用を制限するための情報を隣接セルから受信する段階と、前記受信した情報を用いて、前記干渉セル内で使用制限され、前記コードブックと関連する制限元素を決定する段階と、を含む。ここで、前記隣接セルから受信する情報は、一つのあらかじめ決定された時区間（ｔｉｍｅ  ｐｅｒｉｏｄ）または複数の前記あらかじめ決定された時区間に使用することができる。または、前記隣接セルから受信する情報は、隣接セルと前記干渉セルとを連結するバックボーンネットワーク（ｂａｃｋｂｏｎｅ  ｎｅｔｗｏｒｋ）を通じて受信したり、または、前記隣接セルに属する端末と前記干渉セルのネットワーク間に設定されたフィードバックチャネル（ｆｅｅｄｂａｃｋ  ｃｈａｎｎｅｌ）を通じて受信することができる。または、前記干渉セル内の端末のうち、前記決定された制限元素の使用が制限される端末を決定するのに使用される臨界値を設定する段階と、前記決定された制限元素に関する情報及び前記設定された臨界値を前記干渉セル内の端末に転送する段階と、をさらに含むことができる。この時、前記コードブックと関連する制限元素に関する情報は、前記コードブックに属するプリコーディング行列のインデックスとすることができる。または、前記コードブックと関連する制限元素に関する情報は、前記ベースコードブックに属するプリコーディング行列のインデックスとすることができる。
【００２５】
上述の方法において、前記コードブックと関連する制限元素は、前記コードブックに属するプリコーディング行列とすることができる。この時、前記隣接セルから受信する情報は、前記コードブックに属するプリコーディング行列のインデックスであり、前記コードブックと関連する制限元素は、前記コードブックの元素のうち、前記隣接セルから受信したインデックスに対応する元素と同一であるか、または、前記コードブックの元素のうち、前記隣接セルから受信したインデックスに対応する元素の統計を用いて決定することができる。または、前記隣接セルから受信する情報は、ＣＳＩ（ｃｈａｎｎｅｌ  ｓｔａｔｅ  ｉｎｆｏｒｍａｔｉｏｎ）であり、前記コードブックと関連する制限元素を決定する段階は、前記コードブックに属するプリコーディング行列のうち、前記受信したＣＳＩに対応するプリコーディング行列を決定する段階を含み、前記コードブックと関連する制限元素は、前記決定されたプリコーディング行列と同一であるか、または、前記決定されたプリコーディング行列の統計を用いて決定することができる。
【００２６】
または、上述の方法において、前記コードブックの元素は、ベースコードブック（ｂａｓｅ  ｃｏｄｅｂｏｏｋ）の元素と連接コードブック（ｃｏｎｃａｔｅｎａｔｉｏｎ  ｃｏｄｅｂｏｏｋ）の元素との積により形成され、前記コードブックと関連する制限元素は、前記ベースコードブックに属するプリコーディング行列とすることができる。この時、前記隣接セルから受信される情報は、前記ベースコードブックに属するプリコーディング行列のインデックスであり、前記コードブックと関連する制限元素は、前記ベースコードブックの元素のうち、前記隣接セルから受信したインデックスに対応する元素と同一であるか、または、前記ベースコードブックの元素のうち、前記隣接セルから受信したインデックスに対応する元素の統計を用いて決定することができる。または、前記隣接セルから受信する情報は、ＣＳＩであり、前記コードブックと関連する制限元素を決定する段階は、前記ベースコードブックに属するプリコーディング行列のうち、前記受信したＣＳＩに対応するプリコーディング行列を決定する段階を含み、前記コードブックと関連する制限元素は、前記決定されたプリコーディング行列と同一であるか、または、前記決定されたプリコーディング行列の統計を用いて決定することができる。
【００２７】
本発明の他の様相によれば、コードブックを使用する無線通信システムのネットワークでのセル間干渉を回避する方法は、干渉セル内で前記コードブックの一部のみを使用するための情報を隣接セルから受信する段階と、前記受信した情報を用いて、前記干渉セル内で使用が要請され、前記コードブックと関連する要請元素を決定する段階と、を含む。この時、前記干渉セル内の端末のうち、前記決定された制限元素の使用が制限される端末を決定するのに使用される臨界値を設定する段階と、前記決定された制限元素に関する情報及び前記設定された臨界値を、前記干渉セル内の端末に転送する段階と、をさらに含むことができる。ここで、前記コードブックと関連する要請元素は、前記コードブックに属するプリコーディング行列とすることができる。または、前記コードブックの元素は、ベースコードブック（ｂａｓｅ  ｃｏｄｅｂｏｏｋ）の元素と連接コードブック（ｃｏｎｃａｔｅｎａｔｉｏｎ  ｃｏｄｅｂｏｏｋ）の元素との積により形成され、前記コードブックと関連する要請元素は、前記ベースコードブックに属するプリコーディング行列とすることができる。
【００２８】
本発明のさらに他の様相によれば、コードブックを使用する無線通信システムのネットワークでのセル間干渉を回避する方法は、サービングセルに属する端末が前記干渉セル内で使用が制限され、前記コードブックと関連する制限元素、または前記干渉セル内で使用が要請され、前記コードブックと関連する要請元素を送信するか否かを決定するのに使用される臨界値を設定する段階と、前記設定された臨界値に関する情報を、前記端末に送信する段階と、を含む。この時、前記コードブックと関連する制限元素または前記コードブックと関連する要請元素は、前記コードブックに属するプリコーディング行列とすることができ、または、前記コードブックの元素は、ベースコードブックの元素と連接コードブックの元素との積により形成され、前記コードブックと関連する制限元素または前記コードブックと関連する要請元素は、前記ベースコードブックに属するプリコーディング行列とすることができる。この時、前記端末から前記干渉セルに関するＣＳＩを受信すると、前記受信したＣＳＩに基づいて前記コードブックと関連する制限元素または前記コードブックと関連する要請元素を生成して、前記干渉セルの基地局に転送する段階をさらに含むか、または、前記端末から前記コードブックと関連する制限元素または前記コードブックと関連する要請元素を受信して前記干渉セルの基地局に転送する段階をさらに含むことができる。または、前記コードブックと関連する制限元素または前記コードブックと関連する要請元素を送信することを許容するようとの要請及び前記端末に関するチャネル情報を前記端末から受信する段階と、前記受信したチャネル情報の測定値と前記臨界値とを比較した結果が、あらかじめ決定された関係を満たす場合、前記要請に対する許諾を前記端末に送信する段階と、をさらに含むことができる。または、前記臨界値は、ＣＱＩ、ＳＩＮＲ、ＣＳＩ、干渉電力（ｉｎｔｅｒｆｅｒｅｎｃｅ  ｐｏｗｅｒ）、干渉ベクトル（ｉｎｔｅｒｆｅｒｅｎｃｅ  ｖｅｃｔｏｒ）、及びジオメトリー（Ｇｅｏｍｅｔｒｙ）情報に関する値のうちの一つ以上を含み、サービングセル内の端末からフィードバックされる情報に基づいて設定することができる。
【００２９】
本発明のさらに他の様相によれば、コードブックを使用する無線通信システムのネットワークでのセル間干渉を回避する方法は、干渉セル内で使用が制限され、前記コードブックと関連する制限元素、前記干渉セル内で使用が要請される前記コードブックと関連する要請元素、または前記干渉セルに関するＣＳＩを測定する測定段階と、前記測定された制限元素、前記測定された要請元素、または前記測定された前記干渉セルに関するＣＳＩをサービングセルのネットワークまたは前記干渉セルのネットワークに転送する転送段階と、を含む。この場合、前記コードブックと関連する制限元素または前記コードブックと関連する要請元素は、前記コードブックに属するプリコーディング行列とすることができ、または、前記コードブックの元素は、ベースコードブックの元素と連接コードブックの元素との積により形成され、前記コードブックと関連する制限元素または前記コードブックと関連する要請元素は、前記ベースコードブックに属するプリコーディング行列とすることができ、または、前記転送段階は、前記測定された前記干渉セルに関するＣＳＩを転送する場合には、前記サービングセルの基地局または前記干渉セルの基地局にアナログフィードバックを用いて転送する段階を含むことができる。この時、前記測定段階で、前記測定はフレームごとに行われたり、または、あらかじめ決定されたフレーム周期ごとに行われることができる。または、前記コードブックと関連する制限元素または前記コードブックと関連する要請元素は、前記干渉セルに関するチャネル情報及びハンドオーバーに関する情報を用いて測定することができる。または、前記コードブックと関連する制限元素または前記コードブックと関連する要請元素は、ランク（ｒａｎｋ）及び転送ストリーム数のうち一つ以上と関連して測定されたものとすることができる。
【００３０】
本発明のさらに他の様相によれば、コードブックを使用する無線通信システムのネットワークでのセル間干渉を回避する方法は、干渉セル内で使用が制限され、前記コードブックと関連する制限元素、及び前記コードブックと関連する制限元素の使用を制限するか否かを決定するのに使用するための臨界値を前記干渉セルのネットワークから受信する段階と、チャネル情報の測定値と前記臨界値とを比較した結果が、あらかじめ決定された関係を満たす場合、前記コードブックと関連する制限元素に基づいて最適のＰＭＩを決定する段階と、を含む。この時、前記コードブックと関連する制限元素は、前記コードブックに属するプリコーディング行列であり、前記最適のＰＭＩは、前記受信された制限元素が除外された前記コードブックに基づいて決定することができる。または、前記コードブックの元素は、ベースコードブックの元素と連接コードブックの元素との積により形成され、前記コードブックと関連する制限元素は、前記ベースコードブックに属するプリコーディング行列であり、前記最適のＰＭＩは、前記受信した制限元素が除外された前記ベースコードブックに基づいて決定することができる。
【００３１】
本発明のさらに他の様相によれば、コードブックを使用する無線通信システムのネットワークでのセル間干渉を回避する方法は、干渉セル内で使用が要請され、前記コードブックと関連する要請元素、及び前記コードブックと関連する要請元素のみを使用するか否かを決定するのに使用するための臨界値を前記干渉セルのネットワークから受信する段階と、チャネル情報の測定値と前記臨界値とを比較した結果があらかじめ決定された関係を満たす場合、前記コードブックと関連する要請元素に基づいて最適のＰＭＩを決定する段階と、を含む。この時、前記コードブックと関連する要請元素は、前記コードブックに属するプリコーディング行列であり、前記最適のＰＭＩは、前記受信した要請元素及び前記連接コードブックに基づいて決定することができる。または、前記コードブックの元素は、ベースコードブックの元素と連接コードブックの元素との積により形成され、前記コードブックと関連する要請元素は、前記ベースコードブックに属するプリコーディング行列であり、前記最適のＰＭＩは、前記受信した要請元素及び前記連接コードブックに基づいて決定することができる。
【００３２】
以上の全般的な説明と以下の本発明の詳細な説明はいずれも例示的且つ説明的なもので、請求された本発明の追加的な説明を提供するために提供されるということが理解できる。
【発明の効果】
【００３３】
本発明によれば、セル間干渉を効果的に回避することができる。
【図面の簡単な説明】
【００３４】
【図１】閉ループＭＩＭＯ方式を用いるシステムの構成図である。
【図２】多重セル環境におけるセル間干渉を示す構成図である。
【図３】本発明の一実施例による、干渉セルのプリコーディングベクトルの使用を制限するためにサービング基地局に干渉セルのＰＭＩ情報を転送する端末構成を示す図である。
【図４】本発明の一実施例による、干渉セルの端末が干渉を与えるプリコーディングベクトルを推定し制限するための具体的な構成を示す図である。
【図５】図５（ａ）は、本発明の一実施例による、エッジ端末が干渉セルに関する情報をバックボーンネットワークを通じてフィードバックする構成を示す図である。図５（ｂ）は、本発明の一実施例による、エッジ端末が干渉セルに関する情報を干渉セルとのフィードバックチャネルを通じてフィードバックする構成を示す図である。
【図６】本発明の一実施例による、干渉セルのＰＭＩの使用を制限するためのシステムの構成を示す図である。
【図７】本発明の一実施例による、干渉セルのＰＭＩの使用を制限するためのシステムの構成を示す図である。
【図８】本発明の一実施例による無線通信システムのネットワークでのセル間干渉を回避する方法であり、サービングセルのエッジ端末の内部処理過程を示すフローチャートである。
【図９】本発明の一実施例による無線通信システムのネットワークでのセル間干渉を回避する方法であり、サービングセルのネットワーク、例えば、基地局の内部処理過程を示すフローチャートである。
【図１０】本発明の一実施例による無線通信システムのネットワークでのセル間干渉を回避する方法であり、干渉セルのネットワーク、例えば、干渉セルの基地局の内部処理過程を示すフローチャートである。
【図１１】本発明の一実施例による無線通信システムのネットワークでのセル間干渉を回避する方法であり、干渉セル内の端末の内部処理過程を示すフローチャートである。
【図１２】本発明による他の実施例によるセル間干渉除去方法を説明するための図である。
【発明を実施するための形態】
【００３５】
本発明の付加的な利点、目的、及び特徴の一部は、以下の詳細な説明で説明され、他の一部は、本発明の実施から習得したり、下記の内容から、当該技術分野における通常の知識を有する者には明らかになるであろう。本発明の目的及び他の利点は、添付の図面の他、ここに記述される詳細な説明及び請求の範囲で特に指摘された構造によって実現及び獲得することができる。
【００３６】
以下、添付の図面に基づいて、本発明の好適な実施例について詳細に説明する。ただし、図面中、同一の構成要素には可能な限り同一の参照番号を付する。
【００３７】
プリコーディングまたはビームフォーミング（ｂｅａｍｆｏｒｍｉｎｇ）のような技術を用いる場合、使用されるプリコーディング行列／プリコーディングベクトルまたはビームフォーマ（ｂｅａｍｆｏｒｍｅｒ）が隣接セルに強い影響を与えることがある。これをフラッシュライト効果（ｆｌａｓｈｌｉｇｈｔ  ｅｆｆｅｃｔ）と呼ぶ。本発明の実施例によれば、コードブックを用いてプリコーディングまたはビームフォーミングをする時に、このようなフラッシュライト効果を減らす目的で、隣接基地局に、コードブックの特定元素（ｃｏｄｅｂｏｏｋ  ｅｌｅｍｅｎｔ）を使用しないように要請することができる。逆に、特定コードブック元素を使用するように要請することもできる。
【００３８】
＜コードブックベクトルまたはコードブック行列の使用制限または要請＞
閉ループ方式の多重入出力システムは、チャネル情報を用いて転送性能を向上させる。チャネル情報を用いてプリコーディングをするＭＩＭＯシステムの受信信号は、下記の数学式で示すことができる。
【００３９】
【数１】
2011518478.tif 000003
ここで、Ｈはチャネルを表し、ｎは、０の平均値を有するガウスノイズ（ｚｅｒｏ  ｍｅａｎ  Ｇａｕｓｓｉａｎ  ｎｏｉｓｅ）を表す。Ｗｉは、基地局が、データ転送を始める前にあらかじめ探しておいた最適のコードブックに含まれたベクトルを表し、送受信アンテナ数と転送するストリーム数によって様々なコードブック（Ｗ）のコードブックベクトルがあり、コードブック（Ｗ）は、下記の数学式で示すように、それぞれのコードブックベクトルからなる。
【００４０】
【数２】
2011518478.tif 000004
ここで、Ｗｉは、コードブック中のｉ番目のプリコーディングベクトルを表す。
【００４１】
端末は、受信した信号を用いてコードブックから最適の性能を有するコードブックベクトルを選択し、これを基地局にフィードバックチャネルを通じて転送する。このようなプリコーディングを用いることによって、転送ストリームに対する電力及びレート制御を行うことができ、共同チャネル干渉（ｃｏ−ｃｈａｎｎｅｌ  ｉｎｔｅｒｆｅｒｅｎｃｅ）を除去することができる。
【００４２】
図１は、閉ループＭＩＭＯ方式を用いるシステムの構成図である。
【００４３】
端末１０１は、基地局１０２から受信した信号を用いて、データを受信したチャネル１０３を推定する。推定したチャネルを用いて、端末１０１は、基地局１０２がデータを送信する時にチャネル状況に好適なＭＣＳを適用するように、ＣＱＩを計算する（１０４）。また、推定されたチャネルとコードブックを用いて、チャネル状況に最適のチャネル係数、すなわち、コードブックのプリコーディングベクトルを、既に知っているコードブックから選択する（１０５）。推定されたチャネルを用いて端末１０１が求めたチャネル情報は、基地局１０２と端末１０１間のフィードバックチャネル１０６を通じて転送される。この時、チャネル情報を、アナログフィードバック（ａｎａｌｏｇ  ｆｅｅｄｂａｃｋ）を通じて基地局１０２に転送することができる。ここで、“ナログフィードバック”という用語は、測定されたチャネル情報を、加工した形態（例えば、該情報をいくつかの量子化された値に制限し、該量子化された値をこれを指示するインデックスとともに転送する量子化された形態）ではなく、そのままの形態でフィードバックするということを意味する。基地局１０２は、端末１０１から受信したチャネル情報、選択されたＭＣＳ、及びコードブックのプリコーディングベクトルを用いてデータを端末に送信する。
【００４４】
多重セル環境で閉ループＭＩＭＯを用いるシステムは、隣接セルの影響から多く干渉を受けることになる。特に、セルのエッジに位置している端末（すなわち、第１移動端末）が受信する信号の強度は、セルの内側に位置している端末（すなわち、第２移動端末）が受信する信号の強度に比べて、受信する信号の強度が弱いため、隣接セルによる影響を多く受けることになる。
【００４５】
図２は、多重セル環境でのセル間干渉を示す構成図である。
【００４６】
図２のセルＡ（Ｃｅｌｌ＿Ａ）でエッジに位置している端末ＵＥ１は、セルＡ（Ｃｅｌｌ＿Ａ）にサービスを提供しているサービング基地局ＢＳ１から遠く離れているため、受信信号Ｒ１が非常に弱い。また、端末ＵＥ１が隣接セル（例えば、Ｃｅｌｌ＿Ｂ、Ｃｅｌｌ＿Ｃ、Ｃｅｌｌ＿Ｄ）との境界部分に位置しており、隣接セル（例えば、Ｃｅｌｌ＿Ｂ、Ｃｅｌｌ＿Ｃ、Ｃｅｌｌ＿Ｄ）による干渉を受け、受信性能が大きく低下する。一方、セルＣでセルの内側に位置している端末ＵＥ２は、基地局ＢＳ３に近接しているため、受信信号Ｒ２の強度が非常に良好であり、隣接セル（例えば、Ｃｅｌｌ＿Ａ、Ｃｅｌｌ＿Ｂ、Ｃｅｌｌ＿Ｄ）から干渉を受けるが、隣接セル（例えば、Ｃｅｌｌ＿Ａ、Ｃｅｌｌ＿Ｂ、Ｃｅｌｌ＿Ｄ）からの信号の強度が弱いため、受信性能にほとんど影響を与えない。したがって、セルのエッジに位置している端末（例えば、ＵＥ１）は、セルの内側に位置している端末（例えば、ＵＥ２）に比べて隣接セルによる影響を多く受け、性能が低下してしまう。
【００４７】
このような多重セル環境で、閉ループＭＩＭＯを用いる各セルの基地局ＢＳ１、ＢＳ２、ＢＳ３、‥‥‥、ＢＳＮは、互いに同一のコードブックを用いて各セルに位置している端末にデータを転送し、この時、各セルでは、基地局と端末間のチャネル状態に基づいて各端末ごとに最適のプリコーディングベクトルを用いてデータを転送する。この時、それぞれの端末に使用されるプリコーディングベクトルは、互いに完全に独立しておらず、互いに相関性を持っているか、プリコーディングベクトルによるビームパターンが重なってビームパターンが互いに影響を与えることになる。したがって、セル内の端末がサービング基地局からチャネル状況に好適な最適のプリコーディングベクトルを用いてデータを受信する時、セルのエッジに位置している端末は、隣接しているセルの基地局が隣接しているセル内の端末に使用した最適のプリコーディングベクトルによる影響により、強いセル間干渉を受けることになる。したがって、閉ループＭＩＭＯを用いる端末は、多重セル環境でＩＣＩに対する影響を減らし、また、使用されるプリコーディングベクトルが互いに与える影響を減らすために、干渉を起こすセルのプリコーディングベクトルの使用に制限を加えることができる。プリコーディングベクトルの使用に制限を加えるためには、干渉により影響を受けている端末が、干渉を与える隣接セルが使用してはならないＰＭＩを把握して、サービング基地局に転送しなければならない。
【００４８】
サービングセル内の端末は、自身とサービングセルの基地局間のＣＳＩ及び自身と干渉セルの基地局間のＣＳＩを、アナログフィードバックを用いて転送することができる。このように転送されるＣＳＩは、チャネル行列（ｃｈａｎｎｅｌ  ｍａｔｒｉｘ）、チャネル分散行列（ｃｈａｎｎｅｌ  ｃｏｖａｒｉａｎｃｅ  ｍａｔｒｉｘ）、チャネル分散行列のシンギュラーベクトル（ｓｉｎｇｕｌａｒ  ｖｅｃｔｏｒ／ｖｅｃｔｏｒｓ）のような形態を有することができる。サービングセルの基地局は、端末から転送されたサービングセルに関するＣＳＩ、干渉セルに関するＣＳＩ、及び基地局の持っているコードブック情報を用いて、端末が使用するのに好適なコードブックベクトル及び端末に干渉を多く与える干渉セルのコードブックベクトルを決定する。例えば、プリコーディングのためのコードブックを用いる場合、サービングセルの基地局で選択された干渉セルに関するＰＭＩは、バックボーンネットワークを通じて干渉セルに転送されることができる。ここで、サービングセルの基地局により決定されて転送されるＰＭＩは、干渉セルで使用制限されるべきＰＭＩである。サービングセルの基地局から、使用制限されるべき使用制限ＰＭＩを受信した干渉セルの基地局は、干渉セル内の端末が使用するＰＭＩを決定する時に、コードブックのＰＭＩのうち、サービングセルから転送された使用制限ＰＭＩ以外のＰＭＩの中から決定する。この時、干渉セルの基地局は、干渉セル内の端末が転送したアナログフィードバック情報を用いることができる。
【００４９】
他の方法として、サービングセルの基地局は、サービングセル内の端末から受信した干渉セルに関するＣＳＩを、バックボーンネットワークを通じて干渉セルの基地局に転送することができる。干渉セルに関するＣＳＩを受信した干渉セルの基地局は、コードブック情報を用いて干渉セルで使用制限されるべき使用制限ＰＭＩを決定する。干渉セル内の端末は、この使用制限ＰＭＩ以外のＰＭＩを使用する。すなわち、サービングセルの基地局から受信したＣＳＩを用いて、サービングセル内の端末に干渉を与えるＰＭＩを決定し、このように決定されたＰＭＩの使用を干渉セル内で制限することによってセル間干渉を減らすことができる。上述したサービングセルと干渉セルは相対的な概念として理解すべきである。
【００５０】
図３（ａ）及び図３（ｂ）は、干渉セルのプリコーディングベクトルの使用を制限する目的で、サービング基地局に干渉セルのＰＭＩ情報を転送する端末構成を示す図である。
【００５１】
隣接しているセル内の端末に干渉を与える干渉セルによる影響を減らすために、図３（ａ）及び図３（ｂ）に示す構成図によって、干渉セルのプリコーディングベクトル情報、すなわち、ＰＭＩを転送する端末が定められる。
【００５２】
図３（ａ）は、干渉セルのプリコーディングベクトルの使用を制限するための情報を転送する端末に対する構成図で、臨界値（ｔｈｒｅｓｈｏｌｄ）を使用する方法を示している。
【００５３】
図３（ａ）を参照すると、各セルの基地局は、各セル内の端末が干渉セルのＰＭＩ情報を転送することを許容するか否かを決定するのに用いられる臨界値を、セル内の全ての端末にブロードキャストする。例えば、図３（ａ）のセルＡ（Ｃｅｌｌ＿Ａ）で、基地局ＢＳ１は、端末ＭＳ１、ＭＳ２、ＭＳ３、ＭＳ４に臨界値をブロードキャストする（実線）。この時、端末に転送される臨界値は、セル内のそれぞれの端末が基地局に転送するＣＱＩ、ＳＩＮＲ、ジオメトリー（Ｇｅｏｍｅｔｒｙ）、ＣＳＩなどを用いて決定される。臨界値は、例えば、ＳＩＮＲ、チャネル情報、及び端末の位置情報などのようなジオメトリー情報を用いて計算された全端末の短期間（ｓｈｏｒｔ  ｔｅｒｍ）または長期間（ｌｏｎｇ  ｔｅｒｍ）の受信ＳＩＮＲに基づいて、これらのＳＩＮＲの中で下位１０％を境界付けるＳＩＮＲ、または、あらかじめ固定された任意のＳＩＮＲ値（例えば、−２．５ｄＢ）を用いて定められる。計算された受信ＳＩＮＲを持って臨界値を定める場合、臨界値は端末の状況によって流動的に変わる。このような臨界値は、全セルに同一に適用したり、セルごとに異なる値を適用することができる。定められた臨界値は、固定されても良く、あるいは、毎フレームあるいは長い時間（例えば、１００フレームまたはスーパーフレーム（ｓｕｐｅｒｆｒａｍｅ））に一回ずつ変更されても良い。基地局から臨界値を受信した端末のうち、端末のＳＩＮＲが臨界値未満の場合に該当する端末は、干渉セルに関する情報を基地局に転送する。例えば、図３（ａ）のセルＡで、端末ＭＳ１、ＭＳ４のみが基地局ＢＳ１に干渉セルに関する情報を転送する（点線）。図３（ａ）の構成では、基地局が臨界値を端末に転送した後、この臨界値を満たす端末のみが、干渉セルに関する情報を転送する。
【００５４】
図３（ｂ）は、干渉セルのプリコーディングベクトルの使用を制限するための情報を転送する端末の構成を示す図で、要請（ｒｅｑｕｅｓｔ）及び確認（ｃｏｎｆｉｒｍ）を使用する方法を示している。
【００５５】
図３（ｂ）を参照すると、隣接セルによる干渉を受けている全端末（例えば、セルＡの端末ＭＳ１、ＭＳ２、ＭＳ３、ＭＳ４）が、干渉セルに関する情報を転送するために、基地局に要請（ｒｅｑｕｅｓｔ）情報を送る（実線）。この時、基地局は、端末のＳＩＮＲ、ＣＱＩ、ジオメトリー情報などを用いて、干渉セルの情報を転送する端末を選択し、選択された端末（例えば、セルＡの端末ＭＳ１、ＭＳ４）には確認信号を送る（点線）。この時、基地局から確認信号を受信した端末は、干渉セルに関する情報を基地局に転送する。例えば、上記の方法により選択されたセルのエッジに位置している端末は、隣接セルによる強い干渉の影響を減らすために、まず、複数の隣接セルから受信した信号を用いて複数の隣接セルのそれぞれのチャネルの情報を推定する。この時、エッジ端末に干渉を与えるセルを決定するためには、推定された各隣接セルのチャネル情報を用いて、各隣接セルがエッジ端末に及ぼす信号の強度（例えば、ＳＩＮＲあるいはＳＩＲ、ＣＱＩ等）を計算して、それぞれの隣接セルが及ぼす干渉の程度を測定する。セルエッジに位置している端末は、推定された隣接セルに関するチャネル情報を用いて計算された、各セルが及ぼす干渉の程度を用いて、エッジ端末に最も大きい干渉を与える一つのセルあるいは多数の干渉セルを決定することができ、決定される干渉セルの個数は可変である。
【００５６】
図３（ａ）及び図３（ｂ）で、サービングセル（Ｃｅｌｌ＿Ａ）内の端末が転送する干渉セルに関する情報は、ＰＭＩ情報、またはアナログフィードバックを通じて転送するＣＳＩとすることができる。
【００５７】
サービングセル内の端末がＰＭＩ情報を転送する場合には、干渉セルの基地局は、受信したＰＭＩ情報を直接用いることができる。
【００５８】
これと違い、サービングセル内の端末が、干渉セルに関するＣＳＩを干渉セルの基地局にアナログフィードバックを通じて直接転送し、干渉セルの基地局は、受信したＣＳＩ及びコードブック情報を用いて干渉セル内で使用制限すべきＰＭＩを決定することができる。
【００５９】
または、サービングセルの端末がＣＳＩをアナログフィードバックを通じてサービングセルの基地局に転送することができる。この時、サービングセルの基地局は、受信したＣＳＩ及びコードブック情報を用いて、干渉セル内で使用制限されるべきＰＭＩを決定した後、決定されたＰＭＩを干渉セルの基地局に転送することができる。
【００６０】
または、サービングセルの端末がＣＳＩをサービングセルの基地局にアナログフィードバックを通じて転送すると、サービングセルの基地局は、受信したＣＳＩを干渉セルの基地局に転送し、干渉セルの基地局は、受信したＣＳＩ及びコードブック情報を用いて干渉セル内で使用制限されるべきＰＭＩを決定することができる。
【００６１】
また、セルのエッジに位置している端末は、受信した信号を用いて干渉セルに関する情報を直接測定する方法の他、干渉を与えるセルに関する干渉の情報と干渉セルに関する情報をハンドオーバー情報を用いて測定することが。例えば、セルのエッジ端末がハンドオーバー情報を受信している時、セルのエッジ端末が受信しているハンドオーバー情報は、隣接セルあるいは基地局に関する情報（Ｃｅｌｌ＿ＩＤまたはＢＳ＿ＩＤ）と隣接セルに対する信号強度（ＲＳＳＩ  ；  ｒｅｃｅｉｖｅｄ  ｓｉｇｎａｌ  ｓｔｒｅｎｇｔｈ  ｉｎｄｉｃａｔｉｏｎ）などを含んでいる。セルのエッジ端末は、受信したハンドオーバー情報に含まれた隣接セルの信号強度（ＲＳＳＩ）を用いて、最も強い信号の強度を送っている、すなわち、最大のＲＳＳＩを送るセルを干渉セルとして測定し、一つ以上の干渉セルを測定する場合には、受信したＲＳＳＩが大きい順番で該当のセルあるいは基地局を干渉セルとして測定する。
【００６２】
セルのエッジ端末が受信する信号は、下記の数学式で示される。
【００６３】
【数３】
2011518478.tif 000005
上記数学式で、右辺の１番目の項は、サービングセルからサービングセル内の端末に転送された信号を表し、２番目の項は、隣接セルによる干渉を表す。ここで、サービングセルのエッジに位置するそれぞれの端末は、推定された干渉セルのチャネル情報とコードブックを用いて、端末に最大の干渉を与えるプリコーディングベクトルを測定する。例えば、ランク１コードブックを使用する２×２ＭＩＭＯシステムで、干渉セルのプリコーディングベクトルを求めるための数学式は、下記の通りである。
【００６４】
【数４】
2011518478.tif 000006
ここで、Ｗは、ランク１コードブックを表し、ｗ１，ｗ２，…，ｗＮは、コードブックに含まれたプリコーディングベクトルを表す。Ｈｉは、ｉ番目の干渉セルに関するチャネル情報であり、Ｈｅｑ（ｋ）は、干渉チャネル情報とｋ番目のプリコーディングベクトルを用いて求めたチャネル値である。上記の数学式で求めるそれぞれのプリコーディングベクトルに対するチャネル値を用いて、端末は、干渉セルに対するＣＱＩやＳＩＮＲまたはＳＩＲを計算して、最大の干渉を与えるプリコーディングベクトルを求める。干渉セルに対するプリコーディングベクトルは、毎区間や一定区間あるいは一定区間間隔で測定することができ、測定されたそれぞれのベクトルに対する制限も、毎区間や一定区間あるいは一定区間間隔で適用することができる。
【００６５】
図４（ａ）乃至図４（ｅ）は、干渉セルに対する端末が干渉を与えるプリコーディングベクトルの推定及び制限のための具体的な構成を示す図である。この時、一つのフレームを、干渉セルに関するプリコーディングベクトル情報、すなわち、ＰＭＩを求めるための区間の単位とすることができる。同図で、‘↑’は、干渉セルに対するプリコーディングベクトルを推定するタイミングを表し、‘↓’は、干渉セルがこの推定されたプリコーディングベクトルをセル内で使用することを制限するタイミングを表す。
【００６６】
図４（ａ）を参照すると、毎フレームごとに、セルエッジに位置している端末が、干渉セルのチャネル情報を用いて、端末に大きい干渉を与えるＰＭＩ  Ｐ１，Ｐ２，Ｐ３，Ｐ４を測定する。測定されたＰＭＩは、測定された干渉セルで使用制限しなければならないＰＭＩと設定され、その後、干渉セルは、その次に続くフレームで、Ｒ１，Ｒ２，Ｒ３のように、当該設定されたＰＭＩの使用を制限することができる。図４（ａ）によれば、時間インデックス１で測定されたＰＭＩ（Ｐ１）による干渉セルでの使用制限は、時間インデックス２で行われる（Ｒ１）。時間インデックス２で測定されたＰＭＩ（Ｐ２）による干渉セルでの使用制限は、時間インデックス３で行われる（Ｒ２）。そして、時間インデックス３で測定されたＰＭＩ（Ｐ３）による干渉セルでの使用制限は、時間インデックス４で行われる（Ｒ３）。
【００６７】
図４（ｂ）を参照すると、干渉セルで使用制限しなければならないＰＭＩは、図４ａと同様に、毎フレーム単位で測定される。測定されたＰＭＩは、測定された干渉セルで使用制限されるべきＰＭＩと設定され、その後、干渉セルは、一定間隔後（例えば、４フレーム後）のフレームに対して、当該設定されたＰＭＩの使用を制限することができる。図４（ｂ）によれば、時間インデックス１で測定されたＰＭＩ（Ｐ１）による干渉セルでの使用制限は、時間インデックス５で行われる（Ｒ１）。時間インデックス２で測定されたＰＭＩ（Ｐ２）による干渉セルでの使用制限は、時間インデックス６で行われる（Ｒ２）。そして、時間インデックス３で測定されたＰＭＩ（Ｐ３）による干渉セルでの使用制限は、時間インデックス７で行われる（Ｒ３）。
【００６８】
図４（ｃ）及び図４（ｄ）を参照すると、干渉セルのＰＭＩの使用を制限するためのプリコーディングベクトルに関する情報として、または、干渉セルが干渉セル内の端末に使用する時にセル間干渉を発生させるＰＭＩ情報として、セルエッジに位置している各端末が、あらかじめ設定された収集区間の間（一定フレーム区間）（Ａ１，Ａ２，…）フィードバックあるＰＭＩ情報を利用できる。この時あらかじめ設定された収集区間間の各フレームごとにフィードバックされた情報の統計値、または、あらかじめ設定された収集区間の間に各フレームごとにフィードバックされた情報のうち、最も強い干渉を起こすＰＭＩに基づいて、測定された干渉セルで使用制限されるべきＰＭＩを設定することができる。
【００６９】
図４（ｃ）を参照すると、あらかじめ定められた長さ（Ａ１，Ａ２，…；例えば、４個のフレーム長）の収集区間の間にフィードバックされた干渉セルのＰＭＩ情報を測定する。このような測定は、毎フレームごとに反復して行われることができる。測定された値に基づいて、測定された干渉セルで使用制限されるべきＰＭＩを設定することができる。干渉セルは、あらかじめ定められた長さＡ１，Ａ２，…の収集区間が終わる時点の次のフレームで、設定されたＰＭＩを使用制限することができる。図４（ｃ）で、干渉セルのＰＭＩ情報は、時間インデックス１、２、３、４で収集して転送され、このように転送された干渉セルのＰＭＩ情報の統計値、またはそれらの中で最も強い干渉を起こすＰＭＩに基づいて、時間インデックス５で干渉セル内のＰＭＩを制限することができる。このような処理は、毎フレームごとに反復することができる。すなわち、干渉セルのＰＭＩ情報は、時間インデックス２、３、４、５で収集して転送され、このように転送された干渉セルのＰＭＩ情報の統計値、またはそれらの中で最も強い干渉を起こすＰＭＩに基づいて、時間インデックス６で干渉セル内のＰＭＩを制限することができる。同様に、干渉セルのＰＭＩ情報は、時間インデックス３、４、５、６で収集して転送され、このように転送された干渉セルのＰＭＩ情報の統計値、またはそれらの中で最も強い干渉を起こすＰＭＩに基づいて、時間インデックス７で干渉セル内のＰＭＩを制限することができる。
【００７０】
一方、図４（ｄ）を参照すると、図４（ｃ）のように、あらかじめ定められた長さＡ１，Ａ２，…の収集区間の間に測定してフィードバックされた情報を用いて、あらかじめ定められた長さＢ１，Ｂ２，…の制限区間の間に干渉セルに対してＰＭＩを制限することができる。この時、干渉セルに関する情報を収集するあらかじめ定められた長さＡ１，Ａ２，…の収集区間の長さと、干渉セルに対してＰＭＩを制限をするあらかじめ定められた長さＢ１，Ｂ２，…の制限区間の長さは固定されずに可変することができる。また、あらかじめ定められた長さＡ１，Ａ２，…の収集区間の間に干渉セルに関する情報を収集する処理が、必ずしも毎フレームごとに反復されならなければならないわけではない。例えば、セルのエッジ端末が、干渉セルに関する情報をスーパーフレームごとに基地局に転送し、転送された干渉セルに関する情報を用いて、スーパーフレームの間に干渉セルに対してＰＭＩ使用を制限することができる。図４（ｄ）を参照すると、干渉セルのＰＭＩ情報は、時間インデックス１、２、３、４で収集して転送され、このように転送された干渉セルのＰＭＩ情報の統計値またはその中で最も強い干渉を起こすＰＭＩに基づいて、時間インデックス５、６、７、８で干渉セル内のＰＭＩを制限するとができる。同様に、干渉セルのＰＭＩ情報は、時間インデックス５、６、７、８で収集して転送され、このように転送された干渉セルのＰＭＩ情報の統計値、またはその中で最も強い干渉を起こすＰＭＩに基づいて、時間インデックス９、１０、１１、１２で干渉セル内のＰＭＩを制限することができる。
【００７１】
図４（ｅ）を参照すると、エッジ端末は、あらかじめ定められたフレーム（時点）（例えば、時間インデックス１，６，…）でのみ干渉セルのＰＭＩを制限するためのプリコーディングベクトルの情報（ＰＭＩ）を測定し、このように測定された情報を干渉セルの基地局にフィードバックする。干渉セルの基地局は、端末がフィードバックした情報を用いて、あらかじめ定められた長さＢ１，Ｂ２，…の制限区間の間に干渉セルのＰＭＩ使用を制限することができる。図４（ｅ）を参照すると、干渉セルのＰＭＩ情報は、時間インデックス１で収集して転送され、このように転送された干渉セルのＰＭＩ情報に基づいて、時間インデックス２、３、４、５で干渉セル内のＰＭＩを制限することができる。同様に、干渉セルのＰＭＩ情報は、時間インデックス６で収集して転送され、このように転送された干渉セルのＰＭＩ情報に基づいて、時間インデックス７、８、９、１０で干渉セル内のＰＭＩを制限することができる。
【００７２】
エッジ端末が干渉セルでＰＭＩ使用を制限するために測定してフィードバックする干渉セルに関するＰＭＩ情報は、図４（ａ）乃至図４（ｅ）で提示された収集区間Ａ１，Ａ２，…または収集時点（例えば、時間インデックス１，２，３，…）と異なるようにグループ化されたり設定されたりすることができる。また、干渉セルのＰＭＩ使用が制限される区間は、図４（ａ）乃至図４（ｅ）で提示された制限区間（例えば、Ｂ１，Ｂ２…）と異なるようにグループ化されたり設定されたりすることができる。
【００７３】
図４（ａ）乃至図４（ｅ）で、サービングセルの端末は、ＰＭＩ（Ｐ１、Ｐ２、Ｐ３、Ｐ４）の代わりに、干渉セルに関するＣＳＩを測定してアナログフィードバックを通じてサービングセルに転送し、サービングセルは、受信したＣＳＩを用いて干渉セルで使用制限されるべきＰＭＩを決定した後、決定されたＰＭＩを干渉セルの基地局に転送することができる。
【００７４】
または、サービングセルの端末は、干渉セルに関するＣＳＩを測定してアナログフィードバックを通じてサービングセルの基地局に転送し、サービングセルは、受信したＣＳＩを干渉セルの基地局に転送することができる。干渉セルは、受信したＣＳＩ及びコードブック情報を用いて干渉セル内で使用制限されるべきＰＭＩを決定することができる。
【００７５】
または、サービングセルの端末は、干渉セルに関するＣＳＩを測定してアナログフィードバックを通じて干渉セルの基地局に転送し、干渉セルの基地局は、受信したＣＳＩ及びコードブック情報を用いて、干渉セル内で使用制限されるべきＰＭＩを決定することができる。
【００７６】
また、多数の区間で収集した、干渉セルに関する一つ以上のＰＭＩ情報を、干渉セルのＰＭＩを制限をするために直接使用したりまたは統計的に処理して使用することができる。
【００７７】
干渉セルのＰＭＩ使用を制限するためのフィードバック情報を収集する収集範囲と、干渉セル内で使用可能なＰＭＩを制限する制限範囲は、図４（ａ）乃至図４（ｅ）に例示したように、様々な組み合わせを有することができる。
【００７８】
また、干渉セルのＰＭＩを制限するために、エッジ端末が、定められた期間の間にまたは周期ごとに、干渉セルの制限すべき制限ＰＭＩ（ｒｅｓｔｒｉｃｔｅｄ  ＰＭＩ）を測定して制限する他、基地局が端末の状態に基づいて各端末に対して制限ＰＭＩをフィードバックすべき周期に関する情報をエッジ端末に転送することができる。すると、それぞれの端末はそれぞれ同一の及び／または異なる周期で制限ＰＭＩをサービング基地局に転送することができる。この場合、干渉セルは、異なる周期でフィードバックされる情報を統計的に用いて、あらかじめ定められた区間内でコードブックの使用を制限することができるか、または、各フィードバック情報の周期によってコードブックの使用を制限することができる。
【００７９】
セルのエッジ端末がフィードバックする干渉セルに関するＰＭＩ情報は、周波数の側面で干渉セル内のＰＭＩ使用を制限するために、干渉セルのそれぞれの周波数領域に対してＰＭＩを測定したり、全体周波数領域あるいは特定周波数領域内で使用禁止されるべきＰＭＩを求める。エッジ端末が各周波数領域に対して干渉セルのＰＭＩ情報を測定する場合には、Ｎ個のフィードバック情報が基地局に転送されるが、全体周波数領域に対して干渉セルのＰＭＩ情報を測定する場合には、一個のフィードバック情報が基地局に転送される。転送されたフィードバック情報を用いることによって、干渉セルに対するプリコーディングベクトルの使用を、それぞれの周波数領域、全体周波数領域、または特定周波数領域に対して制限することができる。
【００８０】
例えば、エッジ端末がＮ個の周波数バンドのうちＭ個の周波数領域に対して干渉セルに対するＰ個のＰＭＩをサービング基地局にフィードバックする場合、干渉セルでは、次の例のようにＰＭＩ使用を制限することができる。第一、干渉が発生する周波数領域別にＰＭＩの使用を制限する方法であって、干渉セルは、エッジ端末がフィードバックした制限ＰＭＩを、該当するＭ個の周波数領域に対して制限することができる。第二、干渉セルは、Ｐ個の制限ＰＭＩを、全体周波数領域（Ｎ個のバンド）に適用してＰ個の制限ＰＭＩの使用を禁止することができる。上述したそれぞれの方法によって、エッジ端末がフィードバックする干渉セルに対するＰＭＩは、各バンド別にまたは全体バンドに対して適用されて、干渉セルのＰＭＩ使用を制限する。
【００８１】
セル基地局がランク適応（Ｒａｎｋ  ａｄａｐｔａｔｉｏｎ）（チャネル環境に応じた転送ストリーム個数の適応的運営）を用いて端末にデータを転送する場合にも、干渉セルのプリコーディングベクトルの使用を制限するＰＭＩ制限を用いることができる。例えば、基地局が端末にランク２を用いてランク適応をする場合に、エッジ端末は、干渉セルのＰＭＩを制限するために、干渉セルのチャネル情報を用いて最大の影響を与える干渉セルのＰＭＩをランクによって計算して、サービング基地局に転送する。サービング基地局からランクによる制限ＰＭＩを受信した干渉セルは、干渉セルの内部ユーザ（ｉｎｎｅｒ  ｕｓｅｒ）が、受信したランクによるＰＭＩ以外の準最適（ｓｕｂ−ｏｐｔｉｍａｌ）なＰＭＩを使用するようにする。
【００８２】
ランク適応を使用する一例として、エッジ端末が干渉セルのＰＭＩ情報を測定する時、使用する全ランクに対して制限ＰＭＩを測定するのではなく、ランク１に該当する制限ＰＭＩを測定し、測定された制限ＰＭＩを用いてＰＭＩを制限する。干渉セルは、ランク１に対して測定されたプリコーディングベクトルを用いて、ランク１を用いる干渉セルの内部ユーザ端末に制限を加え、干渉セルの内部ユーザ端末がランク２を用いる場合には、受信したランク１に対するプリコーディングベクトルを含む全てのランク２プリコーディングベクトルに対して制限を加える。このように、使用する全ランクに対して制限を加える場合の他にも、エッジ端末が測定したランク１に対する制限ＰＭＩを用いて、ランク１を用いる端末にのみ制限を与えることもできる。
【００８３】
図４に示すように、各セルのエッジ端末が一定区間あるいは一定時点で測定した干渉セルに対するＰＭＩを用いて、干渉を与える干渉セルが、干渉セル自身の内部端末に使用するＰＭＩを制限するのに使用するために、セルのエッジ端末は、測定した干渉セルに関する情報を自身の基地局または干渉セルの基地局に伝達しなければならない。端末が測定した干渉セルに関する情報をフィードバックする方法の構成図を、図５（ａ）及び図５（ｂ）に示す。
【００８４】
図５（ａ）は、エッジ端末が干渉セルに関する情報をバックボーンネットワークを通じてフィードバックする構成を示す図である。
【００８５】
図５（ａ）を参照すると、セルのエッジに位置している端末ＭＳは、隣接基地局ＢＳ２、ＢＳ３から強い干渉を受けている。エッジ端末ＭＳは、エッジ端末ＭＳに大きい影響を与える干渉セルのＰＭＩの使用を制限するために、干渉セルのＰＭＩ（ｗ２、ｗ３）を測定する。その後、基地局とのフィードバックチャネルを用いて、端末ＭＳとサービング基地局ＢＳ１とのＰＭＩ（ｗ１）とともに、干渉セルに対するＰＭＩ（ｗ２、ｗ３）をサービングセルの基地局ＢＳ１にフィードバックする。エッジ端末ＭＳがサービングセルにフィードバックする情報は、Ｃｅｌｌ＿ＩＤ、ＢＳ＿ＩＤ、制限ＰＭＩ、帯域指示子などを含む。
【００８６】
もし、エッジ端末がハンドオーバーメッセージをＰＭＩ制限に用いる場合には、ハンドオーバーメッセージに含まれたＣｅｌｌ＿ＩＤ、ＢＳ＿ＩＤなどはフィードバックしなくて済む。また、それぞれのバンド別にＰＭＩを制限せずに、全体バンドに対してＰＭＩを制限する場合には、帯域指示子はフィードバック情報に含まれなくても良い。エッジ端末がフィードバックする干渉セルに関する情報は、バックボーンネットワークを通じてそれぞれの該当の干渉セルの基地局に伝達されたり、上位階層（ｌａｙｅｒ）に転送されて干渉セルのＰＭＩ使用を制限するようになる。図５（ａ）を参照すると、エッジ端末が全ての情報をサービング基地局に伝達し、バックボーンネットワークを用いてサービング基地局と干渉セル基地局間に情報を転送する。
【００８７】
図５（ｂ）は、エッジ端末が干渉セルに関する情報を干渉セルとのフィードバックチャネルを通じてフィードバックする構成を示す図である。
【００８８】
図５（ｂ）を参照すると、エッジ端末（ＭＳ）は、干渉セルの基地局ＢＳ２、ＢＳ３とのフィードバックチャネルを用いて直接干渉セルに関する情報ｗ２、ｗ３を伝達する。この時、エッジ端末ＭＳと干渉セルの基地局ＢＳ２、ＢＳ３とのフィードバックチャネルは、共通のチャネルであっても良く、または、各セルごとに割り当てられた任意のチャネルであっても良い。エッジ端末ＭＳと干渉セルの基地局Ｓ２、ＢＳ３とのフィードバックチャネルが共通チャネルである場合には、フィードバックチャネルを使用する時に生じうるデータの重畳による情報の誤りを減らすために、基地局ごとに特定コードやホッピング信号を用いてデータを区別することができる。
【００８９】
セルのエッジ端末から干渉セルのＰＭＩ使用制限のためのＰＭＩを、直接フィードバックチャネルを通じて受信したり、他のセルの基地局からフィードバックチャネルを通じて受信した基地局は、受信したＰＭＩを用いて制限しなければならないＰＭＩのテーブルを作成してＰＭＩ使用を制限することができる。干渉セルの内部端末のＰＭＩ使用を制限するために作成されたＰＭＩテーブルは、図３に言及された方法の通り、毎フレームごとに作成したり、または、あらかじめ決定された時間間隔で作成したりすることができる。また、エッジ端末が転送した制限ＰＭＩを用いて作成されたテーブルは、ビットマップ（ｂｉｔｍａｐ）で表して使用することができ、一度作成されたテーブルやビットマップは、長い期間にわたって干渉セルのＰＭＩを制限するのに使用することができる。制限ＰＭＩを用いて作成されたテーブルやビットマップが長い期間にわたって使用される時は、作成されたテーブルまたはビットマップを上位階層に転送してセル基地局に対するダウンリンク信号として使用することができる。
【００９０】
端末からバックボーンネットワークまたはフィードバックチャネルを通じて制限ＰＭＩ情報を受信した干渉セルは、受信した情報を用いて干渉セル内の端末のＰＭＩ使用を制限する。受信した制限ＰＭＩを用いて干渉セルでＰＭＩ使用を制限する方法の例として、下記の２通りの方法を挙げることができる。
【００９１】
第一の方法は、制限ＰＭＩ情報を受信した基地局が、制限されたＰＭＩを端末に割り当てない方法である。すなわち、基地局は、セル内の端末の受信状態がＰＭＩ制限をするための臨界値を満たす時、フィードバックしたＰＭＩが、干渉セルの基地局が受信した制限ＰＭＩと同一である場合、干渉セルの基地局は、干渉セルの内部端末が、干渉セルの基地局が受信した制限ＰＭＩとは異なるＰＭＩをフィードバックするように要請する信号を、干渉セルの内部端末に転送し、この時、この信号を受信した干渉セルの内部端末は、干渉セルの内部端末が既に転送したＰＭＩ以外のＰＭＩ（例えば、準最適ＰＭＩ）を基地局に転送する。
【００９２】
第二の方法は、制限ＰＭＩ情報を受信した干渉セルの基地局が、制限ＰＭＩ情報とＰＭＩ制限を適用するための臨界値を干渉セルの内部端末に転送し、干渉セルの内部端末が、受信した制限ＰＭＩ以外のＰＭＩを使用するようにする方法である。制限ＰＭＩ情報を受信した干渉セル基地局により、フィードバックするＰＭＩが制限される干渉セルの内部端末は、臨界値によって、干渉セルに属する全端末であるか、あるいは、セルの内側に位置している端末である。ここで、干渉セルの内側に位置する端末に対してＰＭＩを制限する場合、干渉セルの内側に存在する端末は、基地局が転送した臨界値によって全部制限を受けたり、または、端末の受信状態によって可変的にＰＭＩを制限することができる。制限するための臨界値は、端末が転送した情報を用いて基地局により定められ、干渉セルに関する情報を転送する端末を設定するために使用する臨界値を求めるために適用する方法によって求めることができる。
【００９３】
干渉セルに対するＰＭＩ制限は、隣接セルによる干渉の影響を減らすためのＦＦＲ（ｆｒａｃｔｉｏｎａｌ  ｆｒｅｑｕｅｎｃｙ  ｒｅｕｓｅ）あるいは協力的ＭＩＭＯの方法と共に使用されることで、より效果的にセル間干渉による影響を減らすことができる。
【００９４】
図６及び図７は、干渉セルのＰＭＩの使用を制限するためのシステムの構成図である。
【００９５】
多重セル環境で閉ループＭＩＭＯを用いるシステムにおいて、セルのエッジに位置している端末は、隣接しているセルの内側に位置している端末が使用するプリコーディングベクトルにより多くの干渉を受けることになる。このようなセル間干渉により、セルのエッジに位置している端末は、セルの内側に位置している端末に比べて性能が劣化してしまう。このような多重セル環境でセルのエッジに位置している端末が受けるセル間干渉（ＩＣＩ）の影響を減らすために、干渉を与えるセルのＰＭＩ使用を制限をするための動作を、図６及び図７に具体的に示す。
【００９６】
図６は、干渉基地局がＰＭＩ制限に必要な情報をブロードキャストし、干渉セル内の端末がＰＭＩの使用を制限するか否かを決定する方法を示す図である。
【００９７】
図６を参照すると、セルのエッジ端末Ｅｄｇｅ＿ＭＳは、隣接セルＩ＿ＢＳ１、Ｉ＿ＢＳ２，…Ｉ＿ＢＳＮから受信した信号を用いて、隣接セルまたは隣接セルの基地局から転送されるチャネル特性を測定し（Ｓ６０１）、強い干渉を与える一つあるいは一つ以上の干渉セルを決定し（Ｓ６０２）、決定された干渉セルに関するチャネル情報を推定（Ｓ６０３）する。セルエッジ端末は、推定された干渉チャネルとコードブックのプリコーディングベクトルを用いて、エッジ端末に最大の影響を与える制限ＰＭＩ（ｗ１，ｗ２，…，ｗＮ）を測定する。このように端末が測定したそれぞれの干渉セルに対する制限ＰＭＩ（ｗ１，ｗ２，…，ｗＮ）情報は、端末のサービング基地局Ｓ＿ＢＳまたは干渉基地局Ｉ＿ＢＳ１、Ｉ＿ＢＳ２、…Ｉ＿ＢＳＮに伝達される。それぞれの干渉基地局Ｉ＿ＢＳｊ（ｊ＝１，２，…，Ｎ）は、自身に伝達された制限ＰＭＩ  ｗｊ（ｊ＝１，２，…，Ｎ）を、自身の属する干渉セル内の端末にブロードキャストすることができる。これと共に、干渉セル内の各端末のＰＭＩ使用を制限するか否かを決定するのに使用される臨界値をブロードキャストすることができる。ここで、臨界値は、例えばＳＩＮＲ値とすることができる。ｊ番目の干渉セル（ｊ＝１，２，…，Ｎ）に属する端末ＭＳｊ（ｊ＝１，２，…，Ｎ）は、２つのテストを満たす場合、ＰＭＩの使用を制限することができる。第一、干渉基地局Ｉ＿ＢＳｊからブロードキャスティングされた制限ＰＭＩ（ｗｊ）が、端末ＭＳｊが最初に測定したＰＭＩと同一か判断する。第二、端末ＭＳｊのＳＩＮＲが干渉基地局Ｉ＿ＢＳｊからブロードキャスティングされた臨界値よりも小さいか否か判断する。万一、これら２つのテストで、比較されるＰＭＩが同一であり、同時に端末ＭＳｊのＳＩＮＲがブロードキャスティングされた臨界値よりも小さい場合には、ブロードキャスティングされた制限ＰＭＩ（ｗｊ）を除くコードブックからＰＭＩを決定する（Ｓ６０４＿ｊ、ｊ＝１，２，…，Ｎ）。
【００９８】
図７は、干渉基地局が制限ＰＭＩ情報と干渉セル内の端末が転送したＳＩＮＲ値のような情報を用いて、ＰＭＩの使用が制限されるべき端末を決定する方法を示す図である。
【００９９】
図７を参照すると、セルのエッジ端末Ｅｄｇｅ＿ＭＳは、隣接セルＩ＿ＢＳ１、Ｉ＿ＢＳ２、…Ｉ＿ＢＳＮから受信した信号を用いて、隣接セルまたは隣接セルの基地局から転送されるチャネル特性を測定し（Ｓ７０１）、強い干渉を与える一つあるいは一つ以上の干渉セルを決定し（Ｓ７０２）、決定された干渉セルに関するチャネル情報を推定（Ｓ７０３）する。セルエッジ端末は、推定された干渉チャネルとコードブックのプリコーディングベクトルを用いて、エッジ端末に最大の影響を与える制限ＰＭＩ（ｗ１，ｗ２，…，ｗＮ）を測定する。このように端末が測定したそれぞれの干渉セルに対する制限ＰＭＩ（ｗ１，ｗ２，…，ｗＮ）情報は、端末のサービング基地局Ｓ＿ＢＳまたは干渉基地局Ｉ＿ＢＳ１、Ｉ＿ＢＳ２、…Ｉ＿ＢＳＮに伝達される。それぞれの干渉基地局Ｉ＿ＢＳｊ（ｊ＝１，２，…，Ｎ）は、受信した制限ＰＭＩ（ｗ１，ｗ２，…，ｗＮ）情報を、干渉セルの内部端末がフィードバックしたＰＭＩと比較することができる（Ｓ７０４＿ｊ、ｊ＝１，２，…，Ｎ）。比較される制限ＰＭＩと干渉セルの内部端末がフィードバックしたＰＭＩとが一致する場合には、その干渉セルの内部端末は、その基地局が受信した制限ＰＭＩの使用が制限される。この時、ＰＭＩ使用が制限される干渉セルの内部端末は、準最適プリコーディングベクトルを使用し、基地局から準最適プリコーディングベクトルを用いたデータを受信する。
【０１００】
図８（ａ）及び図８（ｂ）は、本発明の一実施例による無線通信システムのネットワークにおけるセル間干渉を回避する方法であって、サービングセルのエッジ端末の内部処理過程を示している。
【０１０１】
図８（ａ）は、サービングセル内の端末が干渉セルのＰＭＩ情報を干渉セルのネットワークに転送するか否かを、サービングセルのネットワーク（例えば、基地局）に確認する方法を示す図である。
【０１０２】
サービングセル内の端末は、自身に干渉を与える干渉セルに関するＰＭＩ情報を測定して、この干渉セルに転送することが許容されるか否かを確認する要請をサービングセルの基地局に転送する（Ｓ８０１ａ）。サービングセルの基地局は、干渉セルに関するＰＭＩ情報を干渉セルに転送することを許容するか否かを決定するのに使用される臨界値をあらかじめ持っていることができる。この臨界値は、例えばＳＩＮＲ値とすることができる。図８（ａ）には示さなかったが、Ｓ８０１ａで転送された要請を受信した基地局は、要請した端末のＳＩＮＲ値とあらかじめ持っている臨界値とを比較することができる。例えば、この端末のＳＩＮＲ値が臨界値よりも小さい場合は、当該端末が干渉セルに関するＰＭＩ情報を当該干渉セルに転送することを許容するメッセージを転送することができる。サービングセル内の端末がこのメッセージを基地局から受信できなかった場合には、制限ＰＭＩを干渉セルに転送しない（Ｓ８０２ａ）。一方、サービングセル内の端末がこのメッセージを基地局から受信した場合には、サービングセルに隣接する隣接セルのうち、自身に干渉を与える干渉セルで使用制限されるべき一つ以上の制限ＰＭＩを、あらかじめ決定された周期ごとに測定することができる（Ｓ８０３ａ）。その後、この端末は、測定された一つ以上の制限ＰＭＩを、干渉セルのネットワークに転送することができる（Ｓ８０４ａ）。
【０１０３】
図８（ｂ）は、干渉セルに関する情報を転送するか否かを決定するのに使用される臨界値を、サービングセルの基地局がサービングセル内の端末に転送し、各端末は、受信した臨界値を用いて干渉セルに制限ＰＭＩを転送するか否かを決定する方法を示す図である。図８（ａ）の方法では、干渉セルに制限ＰＭＩを転送するか否かを基地局が決定したが、図８（ｂ）の方法では、干渉セルに制限ＰＭＩを転送するか否かをサービングセル内の各端末が決定する。
【０１０４】
図８（ｂ）で、それぞれの端末は、自身に干渉を与える干渉セルに関する情報を、当該干渉セルに転送するか否かを決定するのに使用される臨界値（例えば、ＳＩＮＲ値）を、基地局から受信することができる（Ｓ８０１ｂ）。各端末は、自身のＳＩＮＲ値がＳ８０１ｂで受信した臨界値よりも小さいか否か判断することができる（Ｓ８０２ｂ）。万一、小さいと、干渉セルに制限ＰＭＩ情報を転送しない。万一、大きいと、各端末は、サービングセルに隣接する隣接セルのうち各端末に干渉を与える干渉セルで使用制限されるべき制限ＰＭＩを、あらかじめ決定された周期ごとに測定する（Ｓ８０３ｂ）。測定された制限ＰＭＩは、干渉セルのネットワークに転送することができる（Ｓ８０４ｂ）。
【０１０５】
段階Ｓ８０４ａ、Ｓ８０４ｂは、干渉セルに対する一つ以上の制限ＰＭＩをサービングセルのネットワークに転送する段階、及びサービングセルのネットワークに転送された一つ以上の制限ＰＭＩを、サービングセルと干渉セルとを連結するバックボーンネットワークを通じて干渉セルのネットワークに転送する段階を含むこともできる。
【０１０６】
図８（ａ）及び図８（ｂ）に示す実施例で、一つ以上の制限ＰＭＩの測定は、干渉セルから受信した信号を用いて直接測定した干渉セルに関する情報に基づいて行うこともできる。あるいは、上記一つ以上の制限ＰＭＩの測定は、ハンドオーバー情報に基づいて行うこともできる。
【０１０７】
または、段階Ｓ８０４ａ、Ｓ８０４ｂで、測定された一つ以上の制限ＰＭＩを干渉セルのネットワークに転送することは、干渉セルのネットワークと設定されたフィードバックチャネルを通じてなされることもできる。また、一つ以上の制限ＰＭＩはランクによって測定されることもできる。
【０１０８】
図９（ａ）及び図９（ｂ）は、本発明の一実施例による無線通信システムのネットワークにおけるセル間干渉を回避する方法であって、サービングセルのネットワーク、例えば、基地局の内部処理過程を示す図である。
【０１０９】
図９（ａ）は、サービングセルの内部端末が干渉セルに関する情報を送信することを許容するように要請する場合に、この要請を許諾するか否かを決定する方法を示している。
【０１１０】
基地局は、サービングセルに隣接する隣接セルのうち、サービングセルに属する端末に干渉を与える干渉セルに関する情報を端末から受信するか否かを決定するのに使用される臨界値（例えば、ＳＩＮＲ値）を設定することができる（Ｓ９０１ａ）。段階Ｓ９０２ａで、基地局は、サービングセルに属する端末から、干渉セルに関する情報を送信することを許容するようとの要請、及びこの端末に関するチャネル情報（例えば、ＳＩＮＲ値）を受信することができる。その後、基地局は、受信したチャネル情報の測定値が、段階Ｓ９０１ａで設定された臨界値よりも小さいか否か判断する（Ｓ９０３ａ）。万一、小さいと判断されると、この端末の要請を許諾することができる（Ｓ９０４ａ）。または、段階Ｓ９０３ａ及び段階Ｓ９０４ａで、チャネル情報と臨界値とを比較した結果が、あらかじめ決定された関係を有するか否かによって判断することもできる。
【０１１１】
図９（ｂ）は、サービングセルの基地局が干渉セルに関する情報を送信してもよいか否かを決定するのに使用される臨界値を、サービングセルに属する端末にブロードキャストする方法を示す図である。
【０１１２】
段階Ｓ９０１ｂで、サービングセルに隣接する隣接セルのうち、サービングセルに属する端末に干渉を与える干渉セルに関する情報を端末から受信するか否かを決定するのに使用される臨界値を設定する。段階Ｓ９０２ｂでは、設定された臨界値に関する情報を端末に送信する。送信された臨界値に関する情報は、サービングセル内の端末が受信することができる。臨界値に関する情報を受信した端末は、それぞれ、臨界値に基づいて干渉セルに関する情報をサービングセルのネットワーク（例えば、基地局）に転送するか否かを決定することができる。ある端末が干渉セルに関する情報を転送する場合には、段階Ｓ９０３ｂで干渉セルに関する情報を受信することができる。
【０１１３】
ここで、干渉セルに関する情報を端末から受信するか否かを決定するのに使用される臨界値は、端末がフィードバックする情報に基づいて設定することができる。ここで、フィードバックする情報は、ＣＱＩ、ＳＩＮＲ、ＣＳＩ、及びジオメトリー情報のうち一つ以上を含むことができる。
【０１１４】
図１０（ａ）及び図１０（ｂ）は、本発明の一実施例による無線通信システムのネットワークにおけるセル間干渉を回避する方法であって、干渉セルのネットワーク、例えば、干渉セルの基地局の内部処理過程を示す図である。
【０１１５】
図１０（ａ）で、干渉セルの基地局は、干渉セル内で使用制限されるべき一つ以上の制限ＰＭＩを、あらかじめ決定された周期で受信することができる（Ｓ１００１ａ）。例えば、このあらかじめ決定された受信周期は、図４（ａ）乃至図４（ｅ）などから理解することができる。その後、基地局は、受信した一つ以上の制限ＰＭＩを用いて、干渉セルの内部端末に対するＰＭＩ使用制限に用いられる制限ＰＭＩテーブル及びＰＭＩを制限するか否かを決定するのに使用される臨界値を設定することができる（Ｓ１００２ａ）。ここで、制限ＰＭＩテーブルは、ビットマップ形式で表示することができ、臨界値は、例えばＳＩＮＲ値とすればよく、制限ＰＭＩテーブルは、干渉セル内で使用制限されるべき制限ＰＭＩの情報を持っている。その後、干渉セルの基地局は、干渉セルの内部端末からフィードバックされるＰＭＩ及びチャネル情報を受信することができる（Ｓ１００３ａ）。干渉セルの基地局は、段階Ｓ１００３ａでフィードバックされたＰＭＩが、段階Ｓ１００２ａのテーブルにより制限されるＰＭＩであるか否かを決定する。万一、フィードバックされたＰＭＩが使用制限されるべきものでないと、手順を終了する（Ｓ１００４ａ）。逆に、フィードバックされたＰＭＩが使用制限されるべきものであると、段階Ｓ１００３ａでフィードバックした端末のＳＩＮＲ値が、段階Ｓ１００２ａで設定された臨界値よりも大きいか否か決定する（Ｓ１００５ａ）。万一、臨界値よりも大きくないと、手順を終了する（Ｓ１００５ａ）。逆に、臨界値よりも大きいと、段階Ｓ１００３ａでフィードバックした端末に以前に転送したＰＭＩを除くＰＭＩを使用するようとのメッセージを伝達することができる（Ｓ１００６ａ）。段階Ｓ１００６ａで、制限ＰＭＩに対する使用制限の要請は、干渉セルの内部端末が使用するバンド別に行うことができる。
【０１１６】
図１０（ｂ）で、干渉セルの基地局は、干渉セル内で使用制限されるべき一つ以上の制限ＰＭＩを、あらかじめ決定された周期で受信することができる（Ｓ１００１ｂ）。その後、干渉セルの基地局は、干渉セルの内部端末に対するＰＭＩ使用制限に使用される制限ＰＭＩテーブル及びＰＭＩ制限に使用される臨界値を設定できる（Ｓ１００２ｂ）。その後、干渉セルの基地局は、設定された制限ＰＭＩテーブル及び臨界値をセル内の端末に転送することができる（Ｓ１００３ｂ）。
【０１１７】
段階Ｓ１００１ａ、Ｓ１００１ｂで、干渉セルで使用制限されるべき一つ以上の制限ＰＭＩは、干渉セル及び干渉セルに隣接するセルを連結するバックボーンネットワークを通じて干渉セルに隣接するセルから受信することができる。または、段階Ｓ１００１ａ、Ｓ１００１ｂで、干渉セルで使用制限されるべき一つ以上の制限ＰＭＩは、干渉セルに隣接するセルの内部端末と干渉セルのネットワーク間に設定されたフィードバックチャネルを通じて受信することができる。また、段階Ｓ１００１ａ、Ｓ１００１ｂで、セルで使用制限される一つ以上の制限ＰＭＩは、ランク（ｒａｎｋ）によって測定されたものであっても良い。この場合、干渉セルは、ランク１に対して測定されたプリコーディングベクトルを用いて、ランク１を用いる干渉セルの内部ユーザ端末に制限を加え、干渉セルの内部ユーザ端末がランク２を用いる場合には、受信したランク１に対するプリコーディングベクトルを含むすべてのランク２プリコーディングベクトルに制限を加えることができる。このように、使用する全てのランクに制限を加える場合の他にも、エッジ端末の測定したランク１に対する制限ＰＭＩを用いて、ランク１を用いる端末にのみ制限を与えることができる。
【０１１８】
上記の制限ＰＭＩテーブルに含まれる制限ＰＭＩは、段階Ｓ１００１ａ、Ｓ１００１ｂで受信された一つ以上の制限ＰＭＩの統計値に基づいて設定することもでき、または段階Ｓ１００１ａ、Ｓ１００１ｂで受信された一つ以上の制限ＰＭＩのうち、最大の干渉を起こす制限ＰＭＩと設定することもできる。また、制限ＰＭＩテーブルは、ビットマップ形式で表示しても良く、ダウンリンクシグナリング情報として用いられるように上位階層に転送しても良い。
【０１１９】
図１１（ａ）及び図１１（ｂ）は、本発明の一実施例による無線通信システムのネットワークでセル間干渉を回避する方法を示す図で、干渉セル内の端末の内部処理過程を示す。
【０１２０】
図１１（ａ）を参照すると、干渉セルの端末は、干渉セルのネットワークからＰＭＩ使用制限に使用される制限ＰＭＩテーブル及びＰＭＩ制限に使用される臨界値を受信することができる（Ｓ１１０１ａ）。ここで、干渉セルのネットワークは、例えば、干渉セルの基地局であり、制限ＰＭＩテーブルはビットマップ形式とすることができ、臨界値は、例えば、ＳＩＮＲ値とすることができる。その後、干渉セルの各端末は、各端末で測定した最適のＰＭＩが、段階Ｓ１１０１ａで受信された制限ＰＭＩテーブルにより制限されるＰＭＩなのか否かを判断する。万一、制限されるＰＭＩでなければ、測定した最適のＰＭＩを干渉セルのネットワークにフィードバックする（Ｓ１１０２ａ）。万一、制限されるＰＭＩであれば、測定されたＳＩＮＲ値が、受信した臨界値よりも大きいか否か判断する（Ｓ１１０３ａ）。万一、大きくないと、測定した最適のＰＭＩを干渉セルのネットワークにフィードバックする（Ｓ１１０３ａ）。一方、もし大きいと、制限ＰＭＩテーブルによって使用制限の要請された制限ＰＭＩを除く残りＰＭＩのうち、最適のＰＭＩをフィードバックすることができる（Ｓ１１０４ａ）。
【０１２１】
図１１（ｂ）を参照すると、干渉セル内の端末は、段階Ｓ１１０１ｂで、干渉セルのネットワークにＰＭＩ情報及びチャネル情報を送信することができる。その後、段階Ｓ１１０２ｂで、干渉セルのネットワークから特定の制限ＰＭＩの使用制限に対する要請を受信することができる。この要請を受信した場合には、段階Ｓ１１０３ｂで、制限要請された制限ＰＭＩを除く残りＰＭＩのうち、最適のＰＭＩをフィードバックすることができる。
【０１２２】
図６乃至図１１では、サービングセルの端末が、干渉セルで使用制限されるべきＰＭＩを決定した後、決定されたＰＭＩをバックボーンネットワークを通じてまたは干渉セルの基地局に直接転送する方法を例示した。しかし、図３（ａ）及び図３（ｂ）で既に説明したが、サービングセルの端末は、干渉セルに関するＣＳＩを測定してアナログフィードバックを通じてサービングセルの基地局または干渉セルの基地局に転送し、干渉セル内で使用制限されるべきＰＭＩは、サービングセルの端末が転送したＣＳＩを用いて、サービングセルの基地局または干渉セルの基地局で決定されることができる。すなわち、サービングセルの基地局は、サービングセルの端末から受信したＣＳＩを用いて干渉セル内で使用制限されるべきＰＭＩを決定した後、決定されたＰＭＩを干渉セルの基地局に転送することができる。または、サービングセルの基地局は、干渉セルの基地局に干渉セルに関するＣＳＩを転送し、干渉セルの基地局は、受信したＣＳＩ及びコードブック情報を用いて、干渉セル内で使用制限されるべきＰＭＩを決定することができる。
【０１２３】
上述の本発明による実施例で、エッジ端末が干渉セルに転送する情報は、干渉セルで使用してはならない制限ＰＭＩと規定した。しかし、本発明の他の実施例では、エッジ端末が干渉セルに転送する情報を、干渉セルに使用してもらいたい要請ＰＭＩ（ｒｅｑｕｅｓｔｅｄ  ＰＭＩ）と規定することもできる。すなわち、エッジ端末が干渉セルに一つ以上の要請ＰＭＩに関する情報を転送すると、干渉セルでは、干渉セル内の特定端末に対して受信した一つ以上の要請ＰＭＩのうち最適のＰＭＩを選択して使用させることができる。要請ＰＭＩを使用する方法は、上述の本発明による実施例と容易に組み合わせることができるということは、当業者には自明である。
【０１２４】
＜ベースコードブックのベクトルまたはベースコードブック行列の使用制限または要請＞
送信機がＮｔ個のアンテナを有しており、ランクがＮｒである場合に、コードブックＣＮｔｘＮｒ（コードブックセットＣＮｔｘＮｒ）の各元素は、連接コードブックＡＮｔｘＮｔ（連接コードブックセットＡＮｔｘＮｔ）（ｃｏｎｃａｔｅｎａｔｉｏｎ  ｃｏｄｅｂｏｏｋ  ＡＮｔｘＮｔ）から選択される元素とベースコードブックＢＮｔｘＮｒ（ベースコードブックセットＢＮｔｘＮｒ）（ｂａｓｅ  ｃｏｄｅｂｏｏｋ  ＢＮｔｘＮｒ）から選択される元素との積、またはベースコードブックＢＮｔｘＮｔ（ベースコードブックセットＢＮｔｘＮｔ）から選択される元素と連接コードブックＡＮｔｘＮｒ（連接コードブックセットＡＮｔｘＮｒ）から選択される元素との積と定義することができる。以下、このように定義されるコードブックを使用する場合に、干渉セルでプリコーディングベクトルの使用を制限する方法について説明する。
【０１２５】
上記のようで定義されるコードブックで、例えば、連接コードブックＡＮｔｘＮｔ、ベースコードブックＢＮｔｘＮｒ、及びコードブックＣＮｔｘＮｒの元素の個数をそれぞれｌ、ｍ、ｎで表記すると、ｎ＝ｍｘｌの関係を有することができる。連接コードブックＡＮｔｘＮｔの各元素ＡｉＮｔｘＮｔ（ｉ＝０，１，２，…，ｌ−１）は、ＮｔｘＮｔ行列であり、ベースコードブックＢＮｔｘＮｒの各元素ＢｉＮｔｘＮｒ（ｉ＝０，１，２，…，ｍ−１）は、ＮｔｘＮｒ行列であり、コードブックＣＮｔｘＮｒの各元素ＣｉＮｔｘＮｒ（ｉ＝０，１，２，…，ｎ−１）は、ＮｔｘＮｒ行列でありうる。したがって、連接コードブックＡＮｔｘＮｔはＮｔｘＮｔ行列の集合、ベースコードブックＢＮｔｘＮｒはＮｔｘＮｒ行列の集合、そしてコードブックＣＮｔｘＮｒはＮｔｘＮｒ行列の集合と定義することができる。このような関係は、下記の数学式５及び数学式６により表すことができ、連接コードブックＡＮｔｘＮｒ及びベースコードブックＢＮｔｘＮｔの場合にも類推及び適用可能である。例えば、数学式６の場合には、ＣｐＮｔｘＮｒ＝ＢｑＮｔｘＮｔｘＡｒＮｔｘＮｒになりうる。
【０１２６】
【数５】
2011518478.tif 000007
【０１２７】
【数６】
2011518478.tif 000008
さらに、Ｃｔは、時間（ｔ）でのプリコーダを表し、Ｃｔ−１は、時間（ｔ−１）でのプリコーダと仮定する時、下記の数学式７のような関係を有することができ、連接コードブックＡＮｔｘＮｒ及びベースコードブックＢＮｔｘＮｔの場合にも適用可能である。
【０１２８】
【数７】
2011518478.tif 000009
図１２は、数学式６の概念を図式化して説明するものである。
【０１２９】
連接コードブックＡＮｔｘＮｔの元素の個数をｌとすれば、ベースコードブックＢＮｔｘＮｒの各元素に、連接コードブックＡＮｔｘＮｔに含まれたｌ個の元素をそれぞれ乗算することができる。したがって、ベースコードブックの各元素ごとにｌ個のそれぞれ異なるコードブック元素を生成することができる。この時、ベースコードブックの各元素により生成されるｌ個のそれぞれ異なるコードブック元素の集合を、一つのグループと見なすことができる。この場合、ベースコードブックがｍ個の元素を有するとすれば、ベースコードブックと連接コードブックにより生成されるｎ＝ｍｘｌ個のコードブックの元素は、総ｍ個のグループに分けることができる。各グループは、ｌ個のコードブック元素で構成される。
【０１３０】
図１２は、数学式６によりＮｒ個のベクトルを有するベース行列とＮｔ個の行を有する連接行列によって生成されるＮｔｘＮｒ個の連接ベクトルを示す図である。この場合、図１２は、コードブックＣＮｔｘＮｒの一つの元素である特定行列をベクトル単位に分解したものと見なすことができる。
【０１３１】
Ｎｒ＝１、すなわち、ランクが１の場合、ベースコードブックＢＮｔｘ１及びコードブックＣＮｔｘ１の各元素は、１個の列を有する行列、すなわちベクトルで表示されるため、図式化する容易である。この時、コードブックＣＮｔｘ１の各元素とベースコードブックＢＮｔｘ１の各元素は、図１２と類似の方式で図式化可能である。
【０１３２】
コードブックを形成するためのベースコードブック及び連接コードブックのそれぞれは、あらかじめ定められた固定したコードブックを用いたり、一定周期（ｌｏｎｇ−ｔｅｒｍ  ｂａｓｅｄ  ｐｅｒｉｏｄ  ｏｒ  ｓｈｏｒｔ−ｔｅｒｍ  ｂａｓｅｄ  ｐｅｒｉｏｄ）でフィードバックされた可変的なコードブックを用いて構成することができ、それぞれの構成方法は、互いに独立して選択されることができる。また、ベースコードブック及び連接コードブックは、互いに独立した別個の周期でフィードバックされることができる。例えば、それぞれの略固定されたまたは相対的に長い周期（ｌｏｎｇ−ｔｅｒｍ  ｂａｓｅｄ  ｐｅｒｉｏｄ）あるいは相対的に短い周期（ｓｈｏｒｔ−ｔｅｒｍ  ｂａｓｅｄ  ｐｅｒｉｏｄ）でフィードバックされてコードブックを構成することができる。
【０１３３】
また、数学式６は、例えば、数学式８で示すこともできる。
【０１３４】
【数８】
2011518478.tif 000010
ここで、
【０１３５】
【化１】
2011518478.tif 000011
は、ＤＦＴに基づくコードブック、
【０１３６】
【化２】
2011518478.tif 000012
は、あらかじめ定義されたコードブック（８０２．１６ｅ  ｃｏｄｅｂｏｏｋ）を表し、これは、数学式６で表した連接コードブックＡＮｔｘＮｔ、ベースコードブックＢＮｔｘＮｒの一例と見なすことができる。また、
【０１３７】
【化３】
2011518478.tif 000013
は、
【０１３８】
【化４】
2011518478.tif 000014
よりも長時間に基づく周期（ｌｏｎｇ−ｔｅｒｍ  ｂａｓｅｄ  ｐｅｒｉｏｄ）を用いてフィードバックされたコードブックを用いることができる。
【０１３９】
数学式５及び数学式６のように構成されたコードブックによって転送されるプリコーダ／ビームフォーマにおいても同様の方法を適用することができる。この時、隣接基地局の端末は、下記のような方法で干渉制御を要請することができる。
【０１４０】
第一の方法では、転送されるプリコーダ／ビームフォーマ、すなわち、コードブックセットＣＮｔｘＮｒの特定元素を使用しないように要請したり、または、コードブックセットＣＮｔｘＮｒの特定元素を使用するように要請したりすることができる。この方法によれば、干渉セルにより実際に影響を与えるコードブック元素を制御することができる。第一の方法に、上述の本発明の実施例による方法をいずれも同一の方式で適用できることは明らかである。
【０１４１】
第二の方法では、ベースコードブック元素、すなわち、コードブックセットＢＮｔｘＮｒの特定元素を使用しないように要請したり、または、コードブックセットＢＮｔｘＮｒの特定元素を使用するように要請することができる。
【０１４２】
本発明による他の実施例は、第二の方法を使用するものである。上述の第一の方法と第二の方法とを比較してみると、ＣＮｔｘＮｒは総ｎ＝ｍｘｌ個の元素を有するが、ＢＮｔｘＮｒは総ｍ個の元素を有するので、干渉を受ける隣接セルの端末が、使用を制限したりまたは使用を要請する元素を指定して干渉セルにフィードバックする時に、第二の方法でのオーバーヘッドが相対的に小さい。すなわち、ｍ＜ｌの関係を満たすので、第二の方法でフィードバックのために使われるビット数は、第一の方法でフィードバックのために使われるビット数よりも小さくなることができる。転送されるプリコーダ／ビームフォーマは、ベースコードブックの元素（ｅｌｅｍｅｎｔ）を基準として生成されるので、該元素を制限すると、それにより生成されるＣ、すなわち、ＡＢあるいはＢＡを制御することができる。この方法を用いると、実際に影響を与えるＣｉＮｔｘＮｒ（ｉ＝０，１，２，…，ｎ−１）（コードブックセットＣＮｔｘＮｒの元素）を制御するのではないが、端末での演算量とフィードバックオーバーヘッド（ｆｅｅｄｂａｃｋ  ｏｖｅｒｈｅａｄ）を效果的に減らすことができる。
【０１４３】
この実施例で、干渉セルの基地局と干渉を受ける端末はそれぞれ、ベースコードブックと連接コードブックを有していることができる。この時、隣接セルによる干渉を除去するために使用してはならないまたは使用しなければならないベースコードブック集合の元素を、端末が求める。基地局は、受信したベースコードブックの元素を用いて特定コードブック集合の元素を使用しても使用しなくても良い。
【０１４４】
例えば、端末が干渉セルの基地局で使用してはならないベースコードブックの元素を測定して転送すると、干渉セルの基地局は、受信したベースコードブックの元素以外のベースコードブックを用いて最適のコードブック元素を求めることができる。すなわち、干渉セルの基地局で使用してはならないベースコードブックの１個の元素、例えば、Ｂ０ＮｔｘＮｒが測定されて転送されると、干渉セルでは、数学式５のＢＮｔｘＮｒのうち、Ｂ０ＮｔｘＮｒを除く集合を用いて最適のコードブック元素を求めることができる。この場合、１個以上の元素が転送されることができる。
【０１４５】
これと逆に、使用しなければならないベースコードブックの元素を転送する場合、該転送されたベースコードブックの元素と連接コードブック集合を用いて、使用しなければならない最適のコードブック元素を求めることができる。すなわち、干渉セルの基地局で使用しなければならないベースコードブックの１個の元素、例えば、Ｂ０ＮｔｘＮｒが測定されて転送されると、干渉セルでは、数学式５のＢＮｔｘＮｒのＢ０ＮｔｘＮｒ及び連接コードブックＡＮｔｘＮｔを用いて最適のコードブック元素を求めることができる。この場合、１個以上の元素が転送されることができる。
【０１４６】
この実施例に、上述の図４の方法を変形して適用することができる。すなわち、端末に影響を与える干渉セルのベースコードブックの元素を端末が所定周期によって測定して転送し、干渉セルでは、受信したベースコードブックの元素を所定周期ごとに所定方法で適用することができる。
【０１４７】
また、この実施例に、上述の図５の方法を変形して適用することができる。すなわち、端末に影響を与える干渉セルのベースコードブックの元素は、干渉セルとのフィードバックチャネルを通じて転送されたり、または、バックボーンネットワークを通じて転送されたりすることができる。
【０１４８】
また、この実施例に、上述の図６乃至図１１による方法を変形して適用できるということは、当業者に自明である。
【０１４９】
以上で説明された実施例は、本発明の構成要素及び特徴が所定の形態で結合されたものである。各構成要素または特徴は、別の明示的な言及がない限り、選択的なものとして考慮しなければならない。各構成要素または特徴は、他の構成要素や特徴と結合しない形態で実施されることができる。また、一部の構成要素及び／または特徴を結合して本発明の実施例を構成することも可能である。本発明の実施例で説明される動作の順序は変更可能である。ある実施例の一部構成や特徴は他の実施例に含まれることもでき、他の実施例の対応する構成または特徴と取り替えられることもできる。特許請求の範囲において明示的な引用関係を有しない請求項は結合して実施例を構成することもでき、出願後の補正により新しい請求項として含めることも可能であることは自明である。
【０１５０】
本文書で、本発明の実施例は、基地局と端末機とのデータ送受信関係を中心に説明された。ここで、基地局は、端末と直接的に通信を行うネットワーク終端ノード（Ｔｅｒｍｉｎａｌ  ｎｏｄｅ）としての意味を有する。本文書で基地局によって行われると説明された特定動作は、場合によっては、基地局の上位ノード（ｕｐｐｅｒ  ｎｏｄｅ）によって行われることもできる。すなわち、基地局を含む多数のネットワークノード（ｎｅｔｗｏｒｋ  ｎｏｄｅｓ）からなるネットワークにおいて端末との通信のために行われる様々な動作は、基地局または基地局以外のネットワークノードによって行われることもできることは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語にすることもできる。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語にすることもできる。
【０１５１】
本発明による実施例は、様々な手段、例えば、ハードウェア、ファームウェア（ｆｉｒｍｗａｒｅ）、ソフトウェアまたはそれらの結合などによって具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１５２】
ファームウェアやソフトウェアによる具現の場合、本発明の一実施例は、以上で説明された機能または動作を行うモジュール、手続き、関数などの形態で具現することができる。ソフトウェアコードは、メモリユニットに記憶されて、プロセッサによって駆動されることができる。メモリユニットは、プロセッサの内部または外部に設けられて、公知の様々な手段によってプロセッサとデータを交換することができる。
【０１５３】
本発明は、本発明の精神及び必須特徴を逸脱しない範囲で、別の特定の形態に具体化できることは、当業者にとっては明らかである。よって、上記の詳細な説明は、いずれの面においても制限的に解釈してはならず、例示的なものとして考慮しなければならない。本発明の範囲は、添付した請求項の合理的解釈によって定められるべきであり、本発明の等価的範囲内における変更はいずれも、本発明の範囲に含まれる。
【産業上の利用可能性】
【０１５４】
本発明は、無線移動セルラー通信システムのための通信装置に用いることができる。
【図２】
2011518478.tif 000015
【図１】
2011518478.tif 000016
【図３】
2011518478.tif 000017
【図４】
2011518478.tif 000018
【図５】
2011518478.tif 000019
【図６】
2011518478.tif 000020
【図７】
2011518478.tif 000021
【図８】
2011518478.tif 000022
【図９】
2011518478.tif 000023
【図１０】
2011518478.tif 000024
【図１１】
2011518478.tif 000025
【図１２】
2011518478.tif 000026
【手続補正書】
【提出日】平成22年9月28日(2010.9.28)
【手続補正１】
【補正対象書類名】明細書
【補正対象項目名】００３２
【補正方法】変更
【補正の内容】
【００３２】
以上の全般的な説明と以下の本発明の詳細な説明はいずれも例示的且つ説明的なもので、請求された本発明の追加的な説明を提供するために提供されるということが理解できる。
（項目１）
コードブックを使用する無線通信システムにおいてセル間干渉を回避する方法であって、
基地局が、前記コードブックの一部の使用を制限するための情報を隣接セルから受信し、
前記基地局が、セル内で一つ以上の端末が使用しない“制限−ＰＭＩ”として前記コードブックのプリコーディング行列インデックス（ＰＭＩ）を決定すること、
を含む、セル間干渉回避方法。
（項目２）
前記制限−ＰＭＩに関する情報は、ビットマップ形式のテーブル形態で表現される、項目１に記載のセル間干渉回避方法。
（項目３）
前記基地局が、前記セル内の端末が前記決定された制限−ＰＭＩの使用が制限されるか否かを決定するのに用いられる臨界値を決定し、
前記基地局が、前記決定された制限−ＰＭＩに関する情報及び前記設定された臨界値を前記セル内の端末に転送すること、
をさらに含む、項目１に記載のセル間干渉回避方法。
（項目４）
前記隣接セルから受信する情報は、一つのあらかじめ決定された時区間または複数の前記あらかじめ決定された時区間に使用される、項目１に記載のセル間干渉回避方法。
（項目５）
前記決定された制限−ＰＭＩに関する情報は、ビットマップ形式のテーブル形態で表現され、前記ビットマップ及び前記臨界値は上位階層に転送されてダウンリンクシグナルとして使用される、項目３に記載のセル間干渉回避方法。
（項目６）
前記隣接セルから受信する情報は、前記隣接セルと前記セルとを連結するバックボーンネットワークを通じて受信したり、または、前記隣接セルに属する端末に設定されたフィードバックチャネルを通じて受信する、項目１に記載のセル間干渉回避方法。
（項目７）
前記隣接セルから受信する情報は、前記コードブックに属するプリコーディング行列のインデックスを少なくとも一つ含み、
前記制限−ＰＭＩは、前記インデックスと同一であるか、または、前記インデックスの統計によって決定される、項目１に記載のセル間干渉回避方法。
（項目８）
前記隣接セルから受信する情報は、ＣＳＩ（ｃｈａｎｎｅｌ  ｓｔａｔｅ  ｉｎｆｏｒｍａｔｉｏｎ）であり、
前記制限−ＰＭＩを決定するステップは、前記コードブックに属するプリコーディング行列のうち、前記受信したＣＳＩに対応するプリコーディング行列を決定することを含み、
前記制限−ＰＭＩは、前記決定されたプリコーディング行列のインデックスと同一であるか、または、前記決定されたプリコーディング行列の統計によって決定される、項目１に記載のセル間干渉回避方法。
（項目９）
前記コードブックの元素は、ベースコードブックの元素と連接コードブックの元素との積により形成され、
前記制限−ＰＭＩは、前記ベースコードブックに属するプリコーディング行列インデックスのうちの一つである、項目１に記載のセル間干渉回避方法。
（項目１０）
前記隣接セルから受信する情報は、前記ベースコードブックに属するプリコーディング行列の少なくとも一つのインデックスを含み、
前記制限−ＰＭＩは、前記インデックスと同一であるか、または、前記インデックスの統計によって決定される、項目９に記載のセル間干渉回避方法。
（項目１１）
前記隣接セルから受信する情報はＣＳＩであり、
前記制限−ＰＭＩを決定するステップは、前記ベースコードブックに属するプリコーディング行列のうち、前記受信したＣＳＩに対応するプリコーディング行列を決定することを含み、
前記制限−ＰＭＩは、前記決定されたプリコーディング行列のインデックスと同一であるか、または、前記決定されたプリコーディング行列の統計を用いて決定される、項目９に記載のセル間干渉回避方法。
（項目１２）
前記コードブックの一部の使用を制限することは、前記制限−ＰＭＩの使用が制限される端末に割り当てられた周波数領域または前記セルの全体周波数領域に対して行われる、項目３に記載のセル間干渉回避方法。
（項目１３）
コードブックを使用する無線通信システムにおいてセル間干渉を回避する方法であって、
基地局が、前記コードブックの一部の使用を要請するための情報を隣接セルから受信し、
前記基地局が、セル内で一つ以上の端末が使用することを許容する“要請−ＰＭＩ”として前記コードブックのプリコーディング行列インデックス（ＰＭＩ）を決定すること、
を含む、セル間干渉回避方法。
（項目１４）
前記基地局が、前記セル内の端末が前記決定された要請−ＰＭＩを使用するか否かを決定するのに用いられる臨界値を決定し、
前記決定された要請−ＰＭＩに関する情報及び前記決定された臨界値を前記セル内の端末に転送すること、
をさらに含む、項目１３に記載のセル間干渉回避方法。
（項目１５）
コードブックを使用する無線通信システムにおいてセル間干渉を回避する方法であって、
基地局が、隣接セルからの干渉が強い制限−ＰＭＩまたは前記隣接セルからの干渉が弱い要請−ＰＭＩを、前記基地局によって制御されるセルに属する端末が送信するか否かを決定するのに用いられる臨界値を決定し、
前記決定された臨界値に関する情報を前記端末に送信すること、
を含む、セル間干渉回避方法。
（項目１６）
前記制限−ＰＭＩまたは前記要請−ＰＭＩは、前記コードブックに属するプリコーディング行列インデックスのうちの一つである、項目１５に記載のセル間干渉回避方法。
（項目１７）
前記コードブックの元素は、ベースコードブックの元素と連接コードブックの元素との積により形成され、
前記制限−ＰＭＩまたは前記要請−ＰＭＩは、前記ベースコードブックに属するプリコーディング行列である、項目１５に記載のセル間干渉回避方法。
（項目１８）
前記端末から前記隣接セルに関するＣＳＩを受信すると、前記受信したＣＳＩに基づいて前記制限−ＰＭＩまたは前記要請−ＰＭＩを生成して前記隣接セルの基地局に転送するステップをさらに含む、または、
前記端末から前記制限−ＰＭＩまたは前記要請−ＰＭＩを受信して前記隣接セルの基地局に転送することをさらに含む、項目１６に記載のセル間干渉回避方法。
（項目１９）
前記制限−ＰＭＩまたは前記要請−ＰＭＩを送信することを許容するようとの要請及び前記端末に関するチャネル情報を前記端末から受信し、
前記受信したチャネル情報の測定値と前記臨界値とを比較した結果が、あらかじめ決定された関係を満たす場合、前記要請の応答として許諾メッセージを前記端末に送信すること、
をさらに含む、項目１６に記載のセル間干渉回避方法。
（項目２０）
前記臨界値は、ＣＱＩ、ＳＩＮＲ、ＣＳＩ、干渉電力、干渉ベクトル、及びジオメトリ情報に関する値のうち一つ以上を含み、前記基地局によって制御されるセル内の端末からフィードバックされる情報に基づいて決定される、項目１６に記載のセル間干渉回避方法。
（項目２１）
コードブックを使用する無線通信システムにおいてセル間干渉を回避する方法であって、
隣接セルでの使用制限を要請する制限−ＰＭＩ、前記隣接セルでの使用を要請する要請−ＰＭＩ、及び前記隣接セルに関するＣＳＩを測定し、
前記測定された制限−ＰＭＩ、前記測定された要請−ＰＭＩ、または前記測定された前記隣接セルに関するＣＳＩを、前記端末を制御する基地局または前記隣接セルの基地局に転送すること、
を含む、セル間干渉回避方法。
（項目２２）
前記制限−ＰＭＩまたは前記要請−ＰＭＩは、前記コードブックに属するプリコーディング行列インデックスのうちの一つである、項目２１に記載のセル間干渉回避方法。
（項目２３）
前記コードブックの元素は、ベースコードブックの元素と連接コードブックの元素との積により形成され、
前記制限−ＰＭＩまたは前記要請−ＰＭＩは、前記ベースコードブックに属するプリコーディング行列インデックスのうちの一つである、項目２１に記載のセル間干渉回避方法。
（項目２４）
前記転送するステップは、前記セルの基地局または前記隣接セルの基地局にアナログフィードバックを用いて前記測定されたＣＳＩを転送することを含む、項目２１に記載のセル間干渉回避方法。
（項目２５）
前記測定するステップは、毎フレームごとに行われたり、または、あらかじめ決定されたフレーム周期ごとに行われる、項目２２に記載のセル間干渉回避方法。
（項目２６）
前記制限−ＰＭＩまたは前記要請−ＰＭＩは、前記隣接セルに関するチャネル情報及びハンドオーバーに関する情報を用いて測定される、項目２６または２７に記載のセル間干渉回避方法。
（項目２７）
前記制限−ＰＭＩまたは前記要請−ＰＭＩは、ランク及び転送ストリーム数のうちの一つ以上と関連して測定される、項目２２に記載のセル間干渉回避方法。
（項目２８）
前記測定された制限−ＰＭＩ、前記測定された要請−ＰＭＩ、または前記測定された前記隣接セルに関するＣＳＩは、前記隣接セルの各端末に割り当てられた周波数領域または前記隣接セルの全体周波数領域に対して特定コードブック元素の使用を制限するのに使用するためのものである、項目２２に記載のセル間干渉回避方法。
（項目２９）
コードブックを使用する無線通信システムにおいてセル間干渉を回避する方法であって、
端末が、基地局を含むセル内で使用を制限するための制限−ＰＭＩに関する情報、及び前記制限−ＰＭＩを使用するか否かを決定するのに用いる臨界値に関する情報を含むブロードキャスト信号を前記基地局から受信し、
前記端末が、チャネル情報の測定値と前記臨界値とを比較した結果が、あらかじめ決定された関係を満たす場合、前記制限−ＰＭＩに基づいて最適のＰＭＩを決定すること、
を含む、セル間干渉回避方法。
（項目３０）
前記制限−ＰＭＩは、前記コードブックに属するプリコーディング行列インデックスのうちの一つであり、
前記最適のＰＭＩは、前記受信した制限−ＰＭＩを除く前記コードブックに基づいて決定される、項目２９に記載のセル間干渉回避方法。
（項目３１）
前記コードブックの元素は、ベースコードブックの元素と連接コードブックの元素との積により形成され、
前記制限−ＰＭＩは、前記ベースコードブックに属するプリコーディング行列インデックスのうちの一つであり、
前記最適のＰＭＩは、前記受信した制限−ＰＭＩを除く前記ベースコードブックに基づいて決定される、項目２９に記載のセル間干渉回避方法。
（項目３２）
コードブックを使用する無線通信システムにおいてセル間干渉を回避する方法であって、
端末が、基地局を含むセル内で使用を要請するための要請−ＰＭＩに関する情報、及び前記要請−ＰＭＩを使用するか否かを決定するのに用いる臨界値に関する情報を含むブロードキャスト信号を前記基地局から受信し、
チャネル情報の測定値と前記臨界値とを比較した結果が、あらかじめ決定された関係を満たす場合、前記要請−ＰＭＩに基づいて最適のＰＭＩを決定すること、
を含む、セル間干渉回避方法。
（項目３３）
前記要請−ＰＭＩは、前記コードブックに属するプリコーディング行列インデックスのうちの一つであり、
前記最適のＰＭＩは、前記受信した要請−ＰＭＩ及び連接コードブックに基づいて決定される、項目３２に記載のセル間干渉回避方法。
（項目３４）
前記コードブックの元素は、ベースコードブックの元素と連接コードブックの元素との積により形成され、
前記要請−ＰＭＩは、前記ベースコードブックに属するプリコーディング行列インデックスのうちの一つであり、
前記最適のＰＭＩは、前記受信した要請−ＰＭＩ及び連接コードブックに基づいて決定される、項目３２に記載のセル間干渉回避方法。
（項目３５）
コードブックを使用する無線通信システムにおいてセル間干渉を回避する方法であって、
端末が、基地局を含むセル内で使用を制限するための制限−ＰＭＩに関する情報、及び前記制限−ＰＭＩを使用するか否かに関する指示子を含むブロードキャスト信号を前記基地局から受信し、
前記端末が、前記制限−ＰＭＩの使用が制限されると指示された場合、前記制限−ＰＭＩに基づいて最適のＰＭＩを決定すること、
を含む、セル間干渉回避方法。
（項目３６）
前記制限−ＰＭＩは、前記コードブックに属するプリコーディング行列インデックスのうちの一つであり、
前記最適のＰＭＩは、前記受信した制限−ＰＭＩを除く前記コードブックに基づいて決定される、項目３５に記載のセル間干渉回避方法。
（項目３７）
前記コードブックの元素は、ベースコードブックの元素と連接コードブックの元素との積により形成され、
前記制限−ＰＭＩは、前記ベースコードブックに属するプリコーディング行列インデックスのうちの一つであり、
前記最適のＰＭＩは、前記受信された制限−ＰＭＩを除く前記ベースコードブックに基づいて決定される、項目３５に記載のセル間干渉回避方法。
（項目３８）
コードブックを使用する無線通信システムにおいてセル間干渉を回避する方法であって、
端末が、基地局を含むセル内で使用を要請するための要請−ＰＭＩに関する情報、及び前記要請−ＰＭＩを使用するか否かに関する指示子を含むブロードキャスト信号を前記基地局から受信し、
前記端末が、前記要請−ＰＭＩを使用すると指示された場合、前記要請−ＰＭＩに基づいて最適のＰＭＩを決定すること、
を含む、セル間干渉回避方法。
（項目３９）
前記要請−ＰＭＩは、前記コードブックに属するプリコーディング行列インデックスのうちの一つであり、
前記最適のＰＭＩは、前記受信した要請−ＰＭＩ及び連接コードブックに基づいて決定される、項目３８に記載のセル間干渉回避方法。
（項目４０）
前記コードブックの元素は、ベースコードブックの元素と連接コードブックの元素との積により形成され、
前記要請−ＰＭＩは、前記ベースコードブックに属するプリコーディング行列インデックスのうちの一つであり、
前記最適のＰＭＩは、前記受信した要請−ＰＭＩ及び連接コードブックに基づいて決定される、項目３８に記載のセル間干渉回避方法。
【手続補正２】
【補正対象書類名】特許請求の範囲
【補正対象項目名】全文
【補正方法】変更
【補正の内容】
【特許請求の範囲】
【請求項１】
多重セル環境で端末がセル間干渉を減少させる方法であって、
サービング基地局からセル間干渉減少モード動作のための臨界値を受信し、
一つ以上の隣接基地局が特定周波数帯域に及ぼす干渉量が、前記臨界値よりも小さい場合、前記サービング基地局にプリコーディング行列インデックスを転送するための要請信号を送信し、
前記サービング基地局から前記要請信号に対応する確認信号を受信した場合、前記一つ以上の隣接基地局に対して、前記特定周波数帯域に及ぼす干渉が最大化される第１プリコーディング行列インデックス（ＰＭＩ）及び前記干渉が最小化される第２プリコーディング行列インデックスのうち一つ以上を算定し、
前記サービング基地局に前記算定された第１プリコーディング行列インデックス及び第２プリコーディング行列インデックスのうち一つ以上を転送すること、
を含む、セル間干渉減少方法。
【請求項２】
前記第１プリコーディング行列インデックスは、前記一つ以上の隣接基地局に使用を制限することを要請するためのプリコーディング行列インデックスである、請求項１に記載のセル間干渉減少方法。
【請求項３】
前記第２プリコーディング行列インデックスは、前記一つ以上の隣接基地局に使用を推奨するためのプリコーディング行列インデックスである、請求項１に記載のセル間干渉減少方法。
【請求項４】
前記臨界値は、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、ＣＩＮＲ（Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）、及び干渉電力（ｉｎｔｅｒｆｅｒｅｎｃｅ  ｐｏｗｅｒ）に関する値のうち一つ以上を含み、前記サービング基地局内の端末からフィードバックされる情報に基づいて設定される、請求項１に記載のセル間干渉減少方法。
【請求項５】
前記干渉量は、ＳＩＮＲ、ＣＩＮＲ、及び干渉電力に関する値のうち一つ以上を含む、請求項１に記載のセル間干渉減少方法。
【請求項６】
前記サービング基地局に転送されるプリコーディング行列インデックスは、上位階層を通じて前記一つ以上の隣接基地局に転送されて、ビットマップ形式のテーブル形態で表現される、請求項１に記載のセル間干渉減少方法。
【請求項７】
前記臨界値は、前記サービング基地局内の全ての端末に放送される、請求項１に記載のセル間干渉減少方法。
【請求項８】
特定基地局が多重セル環境でセル間干渉を減少させる方法であって、
前記特定基地局内の端末にセル間干渉減少モード動作のための臨界値を送信し、
前記端末のうち、一つ以上の隣接基地局が特定周波数帯域に及ぼす干渉量が前記臨界値よりも小さい端末から、プリコーディング行列インデックスを転送するための要請信号を受信し、
前記要請信号に対する応答信号を、前記要請信号を送信した端末に送信し、
前記一つ以上の隣接基地局に対して、特定周波数帯域に及ぼす干渉が最大化される第１プリコーディング行列インデックス（ＰＭＩ）及び前記干渉が最小化される第２プリコーディング行列インデックスのうち一つ以上を、前記要請信号を送信した端末から受信し、
前記一つ以上の隣接基地局に、前記受信した第１プリコーディング行列インデックス及び前記第２プリコーディング行列インデックスのうち一つ以上のプリコーディング行列インデックスを伝達すること、
を含む、セル間干渉減少方法。
【請求項９】
前記第１プリコーディング行列インデックスは、前記一つ以上の隣接基地局に使用を制限することを要請するためのプリコーディング行列インデックスである、請求項８に記載のセル間干渉減少方法。
【請求項１０】
前記第２プリコーディング行列インデックスは、前記一つ以上の隣接基地局に使用を推奨するためのプリコーディング行列インデックスである、請求項８に記載のセル間干渉減少方法。
【請求項１１】
前記臨界値は、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、ＣＩＮＲ（Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）、及び干渉電力（ｉｎｔｅｒｆｅｒｅｎｃｅ  ｐｏｗｅｒ）に関する値のうち一つ以上を含み、前記特定基地局内の端末からフィードバックされる情報に基づいて設定される、請求項８に記載のセル間干渉減少方法。
【請求項１２】
前記干渉量は、ＳＩＮＲ、ＣＩＮＲ、及び干渉電力に関する値のうち一つ以上を含む、請求項８に記載のセル間干渉減少方法。
【請求項１３】
前記端末から受信したプリコーディング行列インデックスをビットマップ形式のテーブル形態で表現するステップをさらに含む、請求項８に記載のセル間干渉減少方法。
【国際調査報告】
2011518478.tif 000027
2011518478.tif 000028